(57)【要約】基地局は、同期信号（ＳＳ）ブロックおよびダウンリンク送信（たとえば、データ／制御送信）をシグナリングするために周波数分割多重化（ＦＤＭ）技法を利用し得る。基地局は、ダウンリンク送信のためのキャリアの帯域幅部分（ＢＷＰ）のための構成を構成し得る。ＢＷＰ構成は、ＢＷＰ内のダウンリンク送信のための送信属性（たとえば、サブキャリア間隔（ＳＣＳ））を含み得る。基地局は、ダウンリンク送信のための許可をユーザ機器（ＵＥ）に送信し得る。いくつかのケースでは、ダウンリンク送信は、キャリアのためのＳＳブロックと時間的に重複するリソースのセットのためにスケジュールされ得る。基地局は、ＵＥの能力、ＳＳブロックとＦＤＭされるダウンリンク送信の時間リソースかどうか、等に依存して、ＢＷＰのために構成された送信属性を使用して、および／またはＳＳブロック送信属性を使用して、ＢＷＰ内でダウンリンク送信を送信し得る。【選択図】図２
2021502752.tif 000002
【特許請求の範囲】
【請求項１】
ユーザ機器（ＵＥ）におけるワイヤレス通信のための方法であって
キャリアのための同期信号ブロックを受信すること、前記同期信号ブロックは、同期信号ブロック送信属性に関連付けられる、と、
前記キャリアの帯域幅部分（ＢＷＰ）内の送信のために１つまたは複数のＢＷＰ送信属性を識別することと、
前記同期信号ブロック送信属性および前記１つまたは複数のＢＷＰ送信属性に少なくとも部分的に基づいて、前記キャリアの前記ＢＷＰにわたって送信を受信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、方法。
【請求項２】
前記送信は、ダウンリンク制御チャネル送信を備える、
請求項１に記載の方法。
【請求項３】
前記送信は、ダウンリンク共有チャネル送信を備える、
請求項１に記載の方法。
【請求項４】
前記同期信号ブロック送信属性は、第１のサブキャリア間隔（ＳＣＳ）を備え、前記１つまたは複数のＢＷＰ送信属性は、第２のＳＣＳを備える、
請求項１に記載の方法。
【請求項５】
前記第１のＳＣＳおよび前記第２のＳＣＳは、異なる、
請求項４に記載の方法。
【請求項６】
前記１つまたは複数のＢＷＰ送信属性は、送信ビーム方向または受信ビーム方向を備える、
請求項１に記載の方法。
【請求項７】
前記１つまたは複数のＢＷＰ送信属性は、前記キャリアから受信した信号に少なくとも部分的に基づいて識別される、
請求項１に記載の方法。
【請求項８】
ワイヤレス通信のための方法であって、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記ＵＥに、前記同期信号ブロック送信属性および前記１つまたは複数のＢＷＰ送信属性に少なくとも部分的に基づいて、前記キャリアの前記ＢＷＰにわたって送信を送信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、方法。
【請求項９】
前記送信は、ダウンリンク制御チャネル送信を備える、
請求項８に記載の方法。
【請求項１０】
前記送信は、ダウンリンク共有チャネル送信を備える、
請求項８に記載の方法。
【請求項１１】
第２のＵＥに第２の送信を送信することをさらに備え、前記第２の送信は、前記送信と時間的に重複し、前記同期信号ブロックと時間的に重複せず、前記第２の送信を前記送信することは、前記送信と前記第２の送信との間の前記周波数領域にガードバンドを挿入することを備える、
請求項８に記載の方法。
【請求項１２】
前記同期信号ブロック送信属性は、第８のサブキャリア間隔（ＳＣＳ）を備え、前記１つまたは複数のＢＷＰ送信属性は、第２のＳＣＳを備える、
請求項８に記載の方法。
【請求項１３】
前記第１のＳＣＳおよび前記第２のＳＣＳは、異なる、
請求項１２に記載の方法。
【請求項１４】
前記１つまたは複数のＢＷＰ送信属性は、送信ビーム方向または受信ビーム方向を備える、
請求項８に記載の方法。
【請求項１５】
ワイヤレス通信のための方法であって、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記同期信号ブロック送信属性および前記１つまたは複数のＢＷＰ送信属性に少なくとも部分的に基づいて、前記キャリアの前記ＢＷＰにわたってダウンリンク送信を前記ＵＥに送信すること、ここにおいて、前記ダウンリンク送信は、時分割多重化スキームおよび周波数分割多重化スキームを備える複数のあらかじめ定義された多重化スキームから選択されたパターンに従って前記同期信号ブロックと多重化され、前記パターンは、前記ダウンリンク送信と前記同期信号ブロックとの間の前記周波数領域に挿入されたガードバンドを含む、と
を備える、方法。
【請求項１６】
前記同期信号ブロック送信属性は、第１のサブキャリア間隔（ＳＣＳ）を備え、前記１つまたは複数のＢＷＰ送信属性は、第２のＳＣＳを備える、
請求項１５に記載の方法。
【請求項１７】
前記第１のＳＣＳおよび前記第２のＳＣＳは、異なる、
請求項１６に記載の方法。
【請求項１８】
前記１つまたは複数のＢＷＰ送信属性は、送信ビーム方向または受信ビーム方向を備える、
請求項１５に記載の方法。
【請求項１９】
ユーザ機器（ＵＥ）におけるワイヤレス通信のための装置であって、
キャリアのための同期信号ブロックを受信するための手段、前記同期信号ブロックは、同期信号ブロック送信属性に関連付けられる、と、
前記キャリアの帯域幅部分（ＢＷＰ）内の送信のための１つまたは複数のＢＷＰ送信属性を識別するための手段と、
前記同期信号ブロック送信属性および前記１つまたは複数のＢＷＰ送信属性に少なくとも部分的に基づいて、前記キャリアの前記ＢＷＰにわたって送信を受信するための手段、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、装置。
【請求項２０】
前記送信は、ダウンリンク制御チャネル送信を備える、
請求項１９に記載の装置。
【請求項２１】
前記送信は、ダウンリンク共有チャネル送信を備える、
請求項１９に記載の装置。
【請求項２２】
前記同期信号ブロック送信属性は、第１のサブキャリア間隔（ＳＣＳ）を備え、前記１つまたは複数のＢＷＰ送信属性は、第２のＳＣＳを備える、
請求項１９に記載の装置。
【請求項２３】
前記第１のＳＣＳおよび前記第２のＳＣＳは、異なる、
請求項２２に記載の装置。
【請求項２４】
前記ＢＷＰの１つまたは複数の送信属性は、送信ビーム方向または受信ビーム方向を備える、
請求項１９に記載の装置。
【請求項２５】
前記１つまたは複数のＢＷＰ送信属性は、前記キャリアから受信した信号に少なくとも部分的に基づいて識別される、
請求項１９に記載の装置。
【請求項２６】
ワイヤレス通信のための装置であって、
ユーザ機器（ＵＥ）に、キャリアのための同期信号ブロックを送信するための手段、前記同期信号ブロックは、同期信号ブロック送信属性に関連付けられる、と、
前記キャリアの帯域幅部分（ＢＷＰ）内の送信のための１つまたは複数のＢＷＰ送信属性を構成するための手段と、
前記ＵＥに、前記同期信号ブロック送信属性および前記１つまたは複数のＢＷＰ送信属性に少なくとも部分的に基づいて、前記キャリアの前記ＢＷＰにわたって送信を送信するための手段、ここにおいて、前記送信は、時分割多重化スキームおよび周波数分割多重化スキームを備える複数のあらかじめ定義された多重化スキームから選択されたパターンに従って前記同期信号ブロックと多重化される、と
を備える、装置。
【請求項２７】
前記送信は、ダウンリンク制御チャネル送信を備える、
請求項２６に記載の装置。
【請求項２８】
前記送信は、ダウンリンク共有チャネル送信を備える、
請求項２６に記載の装置。
【請求項２９】
前記命令は、前記装置に、
第２のＵＥに第２の送信を送信することを前記命令に行わせるように前記プロセッサによってさらに実行可能であり、前記第２の送信は、前記送信と時間的に重複し、前記同期信号ブロックと時間的に重複せず、前記第２の送信を前記送信することは、前記送信と前記第２の送信との間の前記周波数領域にガードバンドを挿入することを備える、
請求項２６に記載の装置。
【請求項３０】
前記同期信号ブロック送信属性は、第１のサブキャリア間隔（ＳＣＳ）を備え、前記１つまたは複数のＢＷＰ送信属性は、第２のＳＣＳを備える、
請求項２６に記載の装置。
【請求項３１】
前記第１のＳＣＳおよび前記第２のＳＣＳは、異なる、
請求項３０に記載の装置。
【請求項３２】
前記１つまたは複数のＢＷＰ送信属性は、送信ビーム方向または受信ビーム方向を備える、
請求項２６に記載の装置。
【請求項３３】
ワイヤレス通信のための装置であって、
ユーザ機器（ＵＥ）に、キャリアのための同期信号ブロックを送信するための手段、前記同期信号ブロックは、同期信号ブロック送信属性に関連付けられる、と、
前記キャリアの帯域幅部分（ＢＷＰ）内の送信のための１つまたは複数のＢＷＰ送信属性を構成するための手段と、
前記同期信号ブロック送信属性および前記１つまたは複数のＢＷＰ送信属性に少なくとも部分的に基づいて、前記キャリアの前記ＢＷＰにわたってダウンリンク送信を前記ＵＥに送信するための手段、ここにおいて、前記ダウンリンク送信は、時分割多重化スキームおよび周波数分割多重化スキームを備える複数のあらかじめ定義された多重化スキームから選択されたパターンに従って前記同期信号ブロックと多重化され、前記パターンは、前記ダウンリンク送信と前記同期信号ブロックとの間の前記周波数領域に挿入されたガードバンドを含む、と
を備える、装置。
【請求項３４】
前記同期信号ブロック送信属性は、第１のサブキャリア間隔（ＳＣＳ）を備え、前記１つまたは複数のＢＷＰ送信属性は、第２のＳＣＳを備える、
請求項３２に記載の装置。
【請求項３５】
前記第１のＳＣＳおよび前記第２のＳＣＳは、異なる、
請求項３４に記載の装置。
【請求項３６】
前記１つまたは複数のＢＷＰ送信属性は、送信ビーム方向または受信ビーム方向を備える、
請求項３２に記載の装置。
【請求項３７】
ユーザ機器（ＵＥ）におけるワイヤレス通信のための装置であって、
プロセッサと、
前記プロセッサと電子通信中のメモリと、
前記メモリ中に記憶され、前記装置に、
キャリアのための同期信号ブロックを受信すること、前記同期信号ブロックは、同期信号ブロック送信属性に関連付けられる、と、
前記キャリアの帯域幅部分（ＢＷＰ）内の送信のために１つまたは複数のＢＷＰ送信属性を識別することと、
前記同期信号ブロック送信属性および前記１つまたは複数のＢＷＰ送信属性に少なくとも部分的に基づいて、前記キャリアの前記ＢＷＰにわたって送信を受信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を行わせるように前記プロセッサによって実行可能である、装置。
【請求項３８】
ワイヤレス通信のための装置であって、
プロセッサと、
前記プロセッサと電子通信中のメモリと、
前記メモリ中に記憶され、前記装置に、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記ＵＥに、前記同期信号ブロック送信属性および前記１つまたは複数のＢＷＰ送信属性に少なくとも部分的に基づいて、前記キャリアの前記ＢＷＰにわたって送信を送信すること、ここにおいて、前記送信は、時分割多重化スキームおよび周波数分割多重化スキームを備える複数のあらかじめ定義された多重化スキームから選択されたパターンに従って前記同期信号ブロックと多重化される、と
を行わせるように前記プロセッサによって実行可能である、装置。
【請求項３９】
ワイヤレス通信のための装置であって、
プロセッサと、
前記プロセッサと電子通信中のメモリと、
前記メモリ中に記憶され、前記装置に、
ユーザ機器（ＵＥ）に、キャリアのための同期信号ブロックを送信すること、前記同期信号ブロックは、同期信号ブロック送信属性に関連付けられる、と、
前記キャリアの帯域幅部分（ＢＷＰ）内の送信のために１つまたは複数のＢＷＰ送信属性を構成することと、
前記同期信号ブロック送信属性および前記１つまたは複数のＢＷＰ送信属性に少なくとも部分的に基づいて、前記キャリアの前記ＢＷＰにわたってダウンリンク送信を前記ＵＥに送信すること、ここにおいて、前記ダウンリンク送信は、時分割多重化スキームおよび周波数分割多重化スキームを備える複数のあらかじめ定義された多重化スキームから選択されたパターンに従って前記同期信号ブロックと多重化され、前記パターンは、前記ダウンリンク送信と前記同期信号ブロックとの間の前記周波数領域に挿入されたガードバンドを含む、と
を行わせるように前記プロセッサによって実行可能である、装置。
【発明の詳細な説明】
【相互参照】
【０００１】
[0001]本特許出願は、本出願の譲受人に譲渡され、その全体が参照により明示的に組み込まれる、「Frequency Division Multiplexing for Mixed Numerology」と題されて２０１８年１１月８日に出願された、Akkarakaranらによる米国特許出願番号第１６／１８４，８５３号、および「Frequency Division Multiplexing for Mixed Numerology」と題されて２０１７年１１月９日に出願された、Akkarakaranらによる米国特許仮出願第６２／５８４，１０８号に対して優先権を主張する。
【背景技術】
【０００２】
[0002]以下は、一般にワイヤレス通信に関し、より詳細には、混合属性を持つ帯域幅部分（ＢＷＰ）送信のための周波数分割多重化（ＦＤＭ）に関する。
【０００３】
[0003]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。このような多元接続システムの例は、ロングタームエボリューション（ＬＴＥ（登録商標））システムまたはＬＴＥアドバンスト（ＬＴＥ−Ａ）システムのような第４世代（４Ｇ）システムと、新たな無線（ＮＲ）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散直交周波数分割多元接続（ＤＦＴ−ｓ−ＯＦＤＭ）のような技術を採用し得る。ワイヤレス多元接続通信システムは、いくつかの基地局またはネットワークアクセスノードを含み得、各々が、別名ユーザ機器（ＵＥ）として知られ得る複数の通信デバイスのための通信を同時にサポートする。
【０００４】
[0004]いくつかのワイヤレス通信システム（たとえば、ミリ波（ｍｍＷ）通信をサポートするシステム）では、ビームフォーミングは、これらのシステムにおける周波数に関連する比較的高いパスロスを克服するために使用され得る。ビームフォーミングされた送信をサポートするために、通信ワイヤレスデバイス（たとえば、基地局およびＵＥ）は、同期信号を介して所与の通信リンクのための適切なビームを発見し、維持するように動作可能であり得る。同期信号は、同期信号（ＳＳ）ブロックで送信され得、それはまた、たとえば、セル獲得プロシージャ、セルタイミング同期、等のために使用され得る。さらに、そのようなワイヤレス通信システムでは、接続は、比較的広いチャネル周波数帯域幅を使用して確立され得る。いくつかのケースでは、ＢＷＰと呼ばれる、チャネル周波数帯域幅の１つまたは複数の部分は、ＵＥとの通信のために使用され得る。このようなケースでは、比較的少量のデータがＵＥと基地局との間で転送される場合、単一のＢＷＰが送信のために使用され得、比較的大量のデータが転送される場合、２つ以上のＢＷＰが送信のために使用され得る。いくつかの例では、そのような接続は、キャリアアグリゲーション（ＣＡ）モードに従って行われ得、各々が１つまたは複数のＢＷＰを有し得る、複数のコンポーネントキャリア（ＣＣ）が、高データレート通信を提供するために一緒に使用され得る。ＣＣまたはＢＷＰ内の送信に使用される送信属性（たとえば、サブキャリア間隔（ＳＣＳ）、送信ビーム方向、等）は、ＳＳブロックのために使用される送信属性とは異なり得る。ＢＷＰおよびＳＳブロック内の送信が両方とも（たとえば、周波数分割多重化（ＦＤＭ）を介して）通信されるべきである場合、たとえば、そのような混合送信属性に対処するための受信ＵＥの能力により、複雑さが生じ得る。したがって、ＢＷＰ内のＳＳブロックおよび送信に関連する混合送信属性に対処するための効率的な技法が望まれ得る。
【発明の概要】
【０００５】
[0005]説明する技法は、混合属性を持つ帯域幅部分（ＢＷＰ）送信のための周波数分割多重化（ＦＤＭ）をサポートする改善された方法、システム、デバイス、または装置に関する。一般に、説明する技法は、ＢＷＰ内の同期信号（ＳＳ）ブロックおよび送信に関連付けられた混合送信属性（たとえば、サブキャリア間隔（ＳＣＳ）、送信および／または受信ビーム方向、等）の効率的な対処を提供する。ユーザ機器（ＵＥ）は、基地局によって日常的に送信されるＳＳブロックをモニタすることによって、セルとのタイミング同期（たとえば、シンボルタイミング同期）を維持し得る。いくつかのケースでは、基地局は、ＳＳブロックおよびダウンリンク送信（たとえば、物理ダウンリンク共有チャネル（ＰＤＳＣＨ）、物理ダウンリンク制御チャネル（ＰＤＣＣＨ）、チャネル状態情報基準信号（ＣＳＩ−ＲＳ）、等）を送信するためにＦＤＭ技法を利用し得る。
【０００６】
[0006]本開示の態様に従って、基地局は、ダウンリンク送信についてキャリアのＢＷＰのための構成を構成し得る。ＢＷＰ構成は、ＢＷＰ内のダウンリンク送信のための第１の送信属性（たとえば、ＢＷＰ  ＳＣＳ、等）を含み得る。基地局は、次いで、ダウンリンク送信のための許可をＵＥに送信し得る。いくつかのケースでは、ダウンリンク送信は、キャリアのためのＳＳブロックと時間的に重複しているリソースのセットのために（たとえば、許可を介して）スケジュールされ得る。ダウンリンク送信は、ビーム方向のような送信属性に関連付けられ得る。時間における重複がある場合（例えば、リソースのセットの少なくとも一部がＳＳブロックとＦＤＭされる）、ＳＳブロックに関連付けられた送信属性およびＢＷＰ内の送信に関連付けられた送信属性に対処するための効率的な技法が、本明細書で説明される。
【０００７】
[0007]第１の例では、ＳＳブロックと重複するダウンリンク送信のリソースのセットは、第２の送信属性（たとえば、ＳＳブロックＳＣＳ、ＳＳブロックビーム方向、等）を使用して送信され得る。さらに、ダウンリンク送信の残り（たとえば、重複リソースのセットを含まないダウンリンク送信の残りの時間リソース）は、第１の送信属性（たとえば、ＳＳブロックＳＣＳとは異なるＢＷＰ  ＳＣＳ、ＳＳブロックビーム方向とは異なるビーム方向、等）を使用して送信され得る。すなわち、ダウンリンク送信ＦＤＭされたリソースは、ＳＳブロックと重複する時間リソース中にＳＳブロック送信属性に関連付けられ得、ＳＳブロックとＦＤＭされないダウンリンク送信の残りの時間リソースは、ＢＷＰ（たとえば、ＢＷＰ送信属性）または送信（たとえば、ＳＳブロックと重複しない送信）のために構成された異なる送信属性に関連付けられ得る。たとえば、データ送信は、ＳＳブロックビーム方向とは異なるビーム方向に関連付けられ得る。
【０００８】
[0008]第２の例では、ダウンリンク送信全体は、（たとえば、ＳＳブロックとともにＦＤＭされる、ダウンリンク送信の部分、またはダウンリンク送信の時間リソースを含む）ＢＷＰのために構成された送信属性を使用して送信され得る。
【０００９】
[0009]第３の例では、ダウンリンク送信全体は、（たとえば、ＳＳブロックとともにＦＤＭされる、ダウンリンク送信の部分、またはダウンリンク送信の時間リソースを含む）ＳＳブロック送信属性を使用して送信され得る。
【００１０】
[0010]いくつかのケースでは、上記で説明した技法の実装形態は、ＵＥのＦＤＭ能力に基づいて選択され得る。たとえば、基地局は、ＵＥから受信された能力メッセージに基づいて、（ＢＷＰ送信属性および／またはＳＳブロック送信属性を使用して）ダウンリンク送信を送信し得る。能力メッセージは、ＵＥがＦＤＭをサポートするか、混合送信属性を持つＦＤＭをサポートするか、異なるビーム方向上でのＦＤＭ受信をサポートするか、等を示し得る。さらに、構成されたＢＷＰおよびＳＳブロック内のダウンリンク送信のＦＤＭは、ＵＥを対象とするＳＳブロックとの重複のみを参照し得る。すなわち、基地局は、ダウンリンク送信と同時に発生し得るいくつかのＳＳブロックをワイヤレス通信システム内の他のＵＥに送信し得るが、ダウンリンク送信を受信しているＵＥ（たとえば、そのＵＥが受信またはモニタすることが予想される）を対象とするＳＳブロックのみが、ＦＤＭを参照するときに含まれる。
【００１１】
[0011]ワイヤレス通信の方法が説明される。本方法は、キャリアのＢＷＰのための構成を識別すること、構成は、ＢＷＰ内の送信のための送信属性のための第１の値を備える、と、ダウンリンク送信のための許可を受信すること、ダウンリンク送信は、キャリアのための同期信号ブロックと時間的に重複するＢＷＰ中のリソースのセットのためにスケジュールされ、同期信号ブロックは、送信属性のための第２の値を使用して送信される、と、ダウンリンク送信を受信すること、受信することは、リソースのセットの少なくとも一部分のために送信属性の第２の値を適用することを備える、とを含み得る。
【００１２】
[0012]ワイヤレス通信のための装置が説明される。本装置は、キャリアのＢＷＰのための構成を識別するための手段、構成は、ＢＷＰ内の送信のための送信属性のための第１の値を備える、と、ダウンリンク送信のための許可を受信するための手段、ダウンリンク送信は、キャリアのための同期信号ブロックと時間的に重複するＢＷＰ中のリソースのセットのためにスケジュールされ、同期信号ブロックは、送信属性のための第２の値を使用して送信される、と、ダウンリンク送信を受信するための手段、受信することは、リソースのセットの少なくとも一部分のために送信属性の第２の値を適用することを備える、とを含み得る。
【００１３】
[0013]ワイヤレス通信のための別の装置が説明される。本装置は、プロセッサと、プロセッサと電子通信するメモリと、メモリに記憶された命令とを含み得る。命令は、プロセッサに、キャリアのＢＷＰのための構成を識別すること、構成は、ＢＷＰ内の送信のための送信属性のための第１の値を備える、と、ダウンリンク送信のための許可を受信すること、ダウンリンク送信は、キャリアのための同期信号ブロックと時間的に重複するＢＷＰ中のリソースのセットのためにスケジュールされ、同期信号ブロックは、送信属性のための第２の値を使用して送信される、と、ダウンリンク送信を受信すること、受信することは、リソースのセットの少なくとも一部分のために送信属性の第２の値を適用することを備える、とを行わせるように動作可能であり得る。
【００１４】
[0014]ワイヤレス通信のための非一時的コンピュータ可読媒体が説明される。非一時的コンピュータ可読媒体は、プロセッサに、キャリアのＢＷＰのための構成を識別すること、構成は、ＢＷＰ内の送信のための送信属性のための第１の値を備える、と、ダウンリンク送信のための許可を受信すること、ダウンリンク送信は、キャリアのための同期信号ブロックと時間的に重複するＢＷＰ中のリソースのセットのためにスケジュールされ、同期信号ブロックは、送信属性のための第２の値を使用して送信される、と、ダウンリンク送信を受信すること、受信することは、リソースのセットの少なくとも一部分のために送信属性の第２の値を適用することを備える、とを行わせるように動作可能である命令を含み得る。
【００１５】
[0015]上記で説明した方法、装置、および非一時的コンピュータ可読媒体のいくつかの例では、ダウンリンク送信を受信することは、リソースのセットのすべてについて送信属性のための第２の値を適用することを備える。
【００１６】
[0016]上記で説明した方法、装置、および非一時的コンピュータ可読媒体のいくつかの例では、ダウンリンク送信を受信することは、同期信号ブロックと時間的に重複しないリソースのセットの第１の部分のための送信属性のための第１の値と、同期信号ブロックと時間的に重複するリソースのセットの第２の部分のための送信属性のための第２の値とを適用することを備える。
【００１７】
[0017]上記で説明した方法、装置、および非一時的コンピュータ可読媒体のいくつかの例では、送信属性は、ＳＣＳを備える。上記で説明した方法、装置、および非一時的コンピュータ可読媒体のいくつかの例では、１つまたは複数のＢＷＰ送信属性は、送信ビーム方向または受信ビーム方向を備える。
【００１８】
[0018]ワイヤレス通信の方法が説明される。本方法は、キャリアのＢＷＰのための構成を構成すること、構成は、ＢＷＰ内の送信のための送信属性のための第１の値を備える、と、ＢＷＰ内の第１のダウンリンク送信のための許可を第１のＵＥに送信すること、第１のダウンリンク送信は、キャリアのための同期信号ブロックと時間的に重複しているリソースの第１のセットのためにスケジュールされ、同期信号ブロックは、送信属性のための第２の値を使用して送信される、と、第１のダウンリンク送信を送信すること、送信することは、リソースの第１のセットの少なくとも一部分のための送信属性のための第２の値を適用することを備える、とを含み得る。
【００１９】
[0019]ワイヤレス通信のための装置が説明される。装置は、キャリアのＢＷＰのための構成を構成するための手段、構成は、ＢＷＰ内の送信のための送信属性のための第１の値を備える、と、ＢＷＰ内の第１のダウンリンク送信のための許可を第１のＵＥに送信するための手段、第１のダウンリンク送信は、キャリアのための同期信号ブロックと時間的に重複しているリソースの第１のセットのためにスケジュールされ、同期信号ブロックは、送信属性のための第２の値を使用して送信される、と、第１のダウンリンク送信を送信するための手段、送信することは、リソースの第１のセットの少なくとも一部分のための送信属性のための第２の値を適用することを備える、とを含み得る。
【００２０】
[0020]ワイヤレス通信のための別の装置が説明される。本装置は、プロセッサと、プロセッサと電子通信するメモリと、メモリに記憶された命令とを含み得る。命令は、プロセッサに、キャリアのＢＷＰのための構成を構成すること、構成は、ＢＷＰ内の送信のための送信属性のための第１の値を備える、と、ＢＷＰ内の第１のダウンリンク送信のための許可を第１のＵＥに送信すること、第１のダウンリンク送信は、キャリアのための同期信号ブロックと時間的に重複しているリソースの第１のセットのためにスケジュールされ、同期信号ブロックは、送信属性のための第２の値を使用して送信される、と、第１のダウンリンク送信を送信すること、送信することは、リソースの第１のセットの少なくとも一部分のための送信属性のための第２の値を適用することを備える、とを行わせるように動作可能であり得る。
【００２１】
[0021]ワイヤレス通信のための非一時的コンピュータ可読媒体が説明される。非一時的コンピュータ可読媒体は、プロセッサに、キャリアのＢＷＰのための構成を構成すること、構成は、ＢＷＰ内の送信のための送信属性のための第１の値を備える、と、ＢＷＰ内の第１のダウンリンク送信のための許可を第１のＵＥに送信すること、第１のダウンリンク送信は、キャリアのための同期信号ブロックと時間的に重複しているリソースの第１のセットのためにスケジュールされ、同期信号ブロックは、送信属性のための第２の値を使用して送信される、と、第１のダウンリンク送信を送信すること、送信することは、リソースの第１のセットの少なくとも一部分のための送信属性のための第２の値を適用することを備える、とを行わせるように動作可能である命令を含み得る。
【００２２】
[0022]上記で説明した方法、装置、および非一時的コンピュータ可読媒体のいくつかの例では、第１のダウンリンク送信を送信することは、リソースの第１のセットのすべてについて送信属性のための第２の値を適用することを備える。
【００２３】
[0023]上記で説明した方法、装置、および非一時的コンピュータ可読媒体のいくつかの例は、第２のダウンリンク送信を第２のＵＥに送信するためのプロセス、特徴、手段、または命令をさらに含み得、第２のダウンリンク送信は、第１のダウンリンク送信と時間的に重複し、同期信号ブロックと時間的に重複せず、第２のダウンリンク送信を送信することは、第１のダウンリンク送信と第２のダウンリンク送信との間に周波数領域中にガードバンドを挿入することを備える。
【００２４】
[0024]上記で説明した方法、装置、および非一時的コンピュータ可読媒体のいくつかの例では、第１のダウンリンク送信を送信することは、同期信号ブロックと時間的に重複しないリソースのセットの第１の部分のための送信属性のための第１の値と、同期信号ブロックと時間的に重複するリソースの第１のセットの第２の部分のための送信属性のための第２の値とを適用することを備える。
【００２５】
[0025]上記で説明した方法、装置、および非一時的コンピュータ可読媒体のいくつかの例では、送信属性は、ＳＣＳを備える。上記で説明した方法、装置、および非一時的コンピュータ可読媒体のいくつかの例では、１つまたは複数のＢＷＰ送信属性は、送信ビーム方向または受信ビーム方向を備える。
【００２６】
[0026]ワイヤレス通信の方法が説明される。本方法は、キャリアのＢＷＰのための構成を構成すること、構成は、ＢＷＰ内の送信のための送信属性のための第１の値を備える、と、ＢＷＰ内の第１のダウンリンク送信のための許可を第１のＵＥに送信すること、第１のダウンリンク送信は、キャリアのための同期信号ブロックと時間的に重複するリソースの第１のセットのためにスケジュールされ、同期信号ブロックは、送信属性のための第２の値を使用して送信される、と、第１のダウンリンク送信を送信すること、送信することは、リソースの第１のセットのために送信属性のための第１の値を適用することと、第１のダウンリンク送信と、同期信号ブロックとの間の周波数領域中にガードバンドを挿入することとを備える、とを含み得る。
【００２７】
[0027]ワイヤレス通信のための装置が説明される。本装置は、キャリアのＢＷＰのための構成を構成するための手段、構成は、ＢＷＰ内の送信のための送信属性のための第１の値を備える、と、ＢＷＰ内の第１のダウンリンク送信のための許可を第１のＵＥに送信するための手段、第１のダウンリンク送信は、キャリアのための同期信号ブロックと時間的に重複するリソースの第１のセットのためにスケジュールされ、同期信号ブロックは、送信属性のための第２の値を使用して送信される、と、第１のダウンリンク送信を送信するための手段、送信することは、リソースの第１のセットのために送信属性のための第１の値を適用することと、第１のダウンリンク送信と、同期信号ブロックとの間の周波数領域中にガードバンドを挿入することとを備える、とを含み得る。
【００２８】
[0028]ワイヤレス通信のための別の装置が説明される。本装置は、プロセッサと、プロセッサと電子通信するメモリと、メモリに記憶された命令とを含み得る。命令は、プロセッサに、キャリアのＢＷＰのための構成を構成すること、構成は、ＢＷＰ内の送信のための送信属性のための第１の値を備える、と、ＢＷＰ内の第１のダウンリンク送信のための許可を第１のＵＥに送信すること、第１のダウンリンク送信は、キャリアのための同期信号ブロックと時間的に重複するリソースの第１のセットのためにスケジュールされ、同期信号ブロックは、送信属性のための第２の値を使用して送信される、と、第１のダウンリンク送信を送信すること、送信することは、リソースの第１のセットのために送信属性のための第１の値を適用することと、第１のダウンリンク送信と、同期信号ブロックとの間の周波数領域中にガードバンドを挿入することとを備える、とを行わせるように動作可能であり得る。
【００２９】
[0029]ワイヤレス通信のための非一時的コンピュータ可読媒体が説明される。非一時的コンピュータ可読媒体は、プロセッサに、キャリアのＢＷＰのための構成を構成すること、構成は、ＢＷＰ内の送信のための送信属性のための第１の値を備える、と、ＢＷＰ内の第１のダウンリンク送信のための許可を第１のＵＥに送信すること、第１のダウンリンク送信は、キャリアのための同期信号ブロックと時間的に重複するリソースの第１のセットのためにスケジュールされ、同期信号ブロックは、送信属性のための第２の値を使用して送信される、と、第１のダウンリンク送信を送信すること、送信することは、リソースの第１のセットのために送信属性のための第１の値を適用することと、第１のダウンリンク送信と、同期信号ブロックとの間の周波数領域中にガードバンドを挿入することとを備える、とを行わせるように動作可能な命令を含み得る。
【００３０】
[0030]上記で説明した方法、装置、および非一時的コンピュータ可読媒体のいくつかの例では、リソースの第１のセットのための送信属性のための第１の値を適用する第１のダウンリンク送信を送信することは、送信属性のための第１および第２の値の周波数分割多重化のためのサポートを示す、第１のＵＥから受信された能力メッセージに基づき得る。
【００３１】
[0031]上記で説明した方法、装置、および非一時的コンピュータ可読媒体のいくつかの例では、送信属性は、ＳＣＳを備える。上記で説明した方法、装置、および非一時的コンピュータ可読媒体のいくつかの例では、１つまたは複数のＢＷＰ送信属性は、送信ビーム方向または受信ビーム方向を備える。
【００３２】
[0032]ＵＥにおけるワイヤレス通信の方法が説明される。本方法は、キャリアのための同期信号ブロックを受信すること、同期信号ブロックは、同期信号ブロック送信属性に関連付けられる、と、キャリアのＢＷＰ内の送信のための１つまたは複数のＢＷＰ送信属性を識別することと、同期信号ブロック送信属性および１つまたは複数のＢＷＰ送信属性に基づいて、キャリアのＢＷＰにわたって送信を受信すること、ここで、送信は、時分割多重化スキームおよび周波数分割多重化スキームを備える複数のあらかじめ定義された多重化スキームから選択されたパターンに従って、同期信号ブロックと多重化され得る、とを含み得る。
【００３３】
[0033]ＵＥにおけるワイヤレス通信のための装置が説明される。本装置は、プロセッサと、プロセッサと電子通信するメモリと、メモリに記憶された命令とを含み得る。命令は、プロセッサに、キャリアのための同期信号ブロックを受信すること、同期信号ブロックは、同期信号ブロック送信属性に関連付けられる、と、キャリアのＢＷＰ内の送信のための１つまたは複数のＢＷＰ送信属性を識別することと、同期信号ブロック送信属性および１つまたは複数のＢＷＰ送信属性に基づいて、キャリアのＢＷＰにわたって送信を受信すること、ここで、送信は、時分割多重化スキームおよび周波数分割多重化スキームを備える複数のあらかじめ定義された多重化スキームから選択されたパターンに従って、同期信号ブロックと多重化され得る、とを行わせるように動作可能であり得る。
【００３４】
[0034]ＵＥにおけるワイヤレス通信のための別の装置が説明される。本装置は、キャリアのための同期信号ブロックを受信するための手段、同期信号ブロックは、同期信号ブロック送信属性に関連付けられる、と、キャリアのＢＷＰ内の送信のための１つまたは複数のＢＷＰ送信属性を識別することと、同期信号ブロック送信属性および１つまたは複数のＢＷＰ送信属性に基づいて、キャリアのＢＷＰにわたって送信を受信すること、ここで、送信は、時分割多重化スキームおよび周波数分割多重化スキームを備える複数のあらかじめ定義された多重化スキームから選択されたパターンに従って、同期信号ブロックと多重化され得る、とを含み得る。
【００３５】
[0035]ＵＥにおけるワイヤレス通信のためのコードを記憶する非一時的コンピュータ可読媒体が説明される。コードは、キャリアのための同期信号ブロックを受信すること、同期信号ブロックは、同期信号ブロック送信属性に関連付けられる、と、キャリアのＢＷＰ内の送信のための１つまたは複数のＢＷＰ送信属性を識別することと、同期信号ブロック送信属性および１つまたは複数のＢＷＰ送信属性に基づいて、キャリアのＢＷＰにわたって送信を受信すること、ここで、送信は、時分割多重化スキームおよび周波数分割多重化スキームを備える複数のあらかじめ定義された多重化スキームから選択されたパターンに従って、同期信号ブロックと多重化され得る、とを行うようにプロセッサによって実行可能な命令を含み得る。
【００３６】
[0036]本明細書で説明する方法、装置、および非一時的コンピュータ可読媒体のいくつかの例では、送信は、ダウンリンク制御チャネル送信を含む。本明細書で説明する方法、装置、および非一時的コンピュータ可読媒体のいくつかの例では、送信は、ダウンリンク共有チャネル送信を含む。
【００３７】
[0037]本明細書で説明する方法、装置、および非一時的コンピュータ可読媒体のいくつかの例では、同期信号ブロック送信属性は、第１のＳＣＳを含み、１つまたは複数のＢＷＰ送信属性は、第２のＳＣＳを含む。本明細書で説明される方法、装置、および非一時的コンピュータ可読媒体のいくつかの例では、第１のＳＣＳおよび第２のＳＣＳは、異なり得る。
【００３８】
[0038]本明細書で説明する方法、装置、および非一時的コンピュータ可読媒体のいくつかの例では、１つまたは複数のＢＷＰ送信属性は、送信ビーム方向または受信ビーム方向を含む。
【００３９】
[0039]ワイヤレス通信の方法が説明される。本方法は、ＵＥに、キャリアのための同期信号ブロックを送信すること、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたって送信を送信すること、ここで、送信は、時分割多重化スキームおよび周波数分割多重化スキームを備える複数のあらかじめ定義された多重化スキームから選択されたパターンに従って、同期信号ブロックと多重化され得る、とを含み得る。
【００４０】
[0040]ワイヤレス通信のための装置が説明される。本装置は、プロセッサと、プロセッサと電子通信するメモリと、メモリに記憶された命令とを含み得る。命令は、プロセッサに、ＵＥに、キャリアのための同期信号ブロックを送信すること、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたって送信を送信すること、ここで、送信は、時分割多重化スキームおよび周波数分割多重化スキームを備える複数のあらかじめ定義された多重化スキームから選択されたパターンに従って、同期信号ブロックと多重化され得る、とを行わせるように動作可能であり得る。
【００４１】
[0041]ワイヤレス通信のための別の装置が説明される。本装置は、ＵＥに、キャリアのための同期信号ブロックを送信するための手段、同期信号ブロックは、同期信号ブロック送信属性に関連付けられる、と、キャリアのＢＷＰ内の送信のための１つまたは複数の帯域幅ＢＷＰ送信属性を構成することと、ＵＥに、同期信号ブロック送信属性および１つまたは複数のＢＷＰ送信属性に基づいて、キャリアのＢＷＰにわたって送信を送信すること、ここで、送信は、時分割多重化スキームおよび周波数分割多重化スキームを備える複数のあらかじめ定義された多重化スキームから選択されたパターンに従って、同期信号ブロックと多重化され得る、とを含み得る。
【００４２】
[0042]  ワイヤレス通信のためのコードを記憶する非一時的なコンピュータ読み取り可能な媒体が説明される。コードは、ＵＥに、キャリアのための同期信号ブロックを送信すること、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたって送信を送信すること、ここで、送信は、時分割多重化スキームおよび周波数分割多重化スキームを備える複数のあらかじめ定義された多重化スキームから選択されたパターンに従って、同期信号ブロックと多重化され得る、とを行うようにプロセッサによって実行可能な命令を含み得る。
【００４３】
[0043]本明細書で説明する方法、装置、および非一時的コンピュータ可読媒体のいくつかの例では、送信は、ダウンリンク制御チャネル送信を含む。本明細書で説明する方法、装置、および非一時的コンピュータ可読媒体のいくつかの例では、送信は、ダウンリンク共有チャネル送信を含む。
【００４４】
[0044]本明細書で説明する方法、装置、および非一時的コンピュータ可読媒体のいくつかの例は、第２の送信を第２のＵＥに送信するための動作、特徴、手段、または命令をさらに含み得、第２の送信は、送信と時間的に重複し、同期信号ブロックと時間的に重複せず、第２の送信を送信することは、送信と第２の送信との間に周波数領域中にガードバンドを挿入することを含み得る。
【００４５】
[0045]本明細書で説明する方法、装置、および非一時的コンピュータ可読媒体のいくつかの例では、同期信号ブロック送信属性は、第１のＳＣＳを含み、１つまたは複数のＢＷＰ送信属性は、第２のＳＣＳを含む。本明細書で説明される方法、装置、および非一時的コンピュータ可読媒体のいくつかの例では、第１のＳＣＳおよび第２のＳＣＳは、異なり得る。
【００４６】
[0046]本明細書で説明する方法、装置、および非一時的コンピュータ可読媒体のいくつかの例では、１つまたは複数のＢＷＰ送信属性は、送信ビーム方向または受信ビーム方向を含む。
【００４７】
[0047]ワイヤレス通信の方法が説明される。本方法は、ＵＥに、キャリアのための同期信号ブロックを送信すること、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたって送信を送信すること、ここで、送信は、時分割多重化スキームおよび周波数分割多重化スキームを備える複数のあらかじめ定義された多重化スキームから選択されたパターンに従って、同期信号ブロックと多重化され得る、とを含み得る。
【００４８】
[0048]ワイヤレス通信のための装置が説明される。本装置は、プロセッサと、プロセッサと電子通信するメモリと、メモリに記憶された命令とを含み得る。命令は、プロセッサに、ＵＥに、キャリアのための同期信号ブロックを送信すること、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたってダウンリンク送信を送信すること、ここで、ダウンリンク送信は、時分割多重化スキームおよび周波数分割多重化スキームを備える複数のあらかじめ定義された多重化スキームから選択されたパターンに従って、同期信号ブロックと多重化され、パターンは、ダウンリンク送信と同期信号ブロックとの間に周波数領域中に挿入されたガードインターバルを含む、とを行わせるように動作可能であり得る。
【００４９】
[0049]ワイヤレス通信のための別の装置が説明される。本装置は、ＵＥに、キャリアのための同期信号ブロックを送信するための手段、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたってダウンリンク送信を送信すること、ここで、ダウンリンク送信は、時分割多重化スキームおよび周波数分割多重化スキームを備える複数のあらかじめ定義された多重化スキームから選択されたパターンに従って、同期信号ブロックと多重化され、パターンは、ダウンリンク送信と同期信号ブロックとの間に周波数領域中に挿入されたガードインターバルを含む、とを含み得る。
【００５０】
[0050]ワイヤレス通信のためのコードを記憶する非一時的なコンピュータ読み取り可能な媒体が説明される。コードは、ＵＥに、キャリアのための同期信号ブロックを送信するための手段、同期信号ブロックは、同期信号ブロック送信属性に関連付けられる、と、キャリアのＢＷＰ内の送信のための１つまたは複数のＢＷＰ送信属性を構成することと、ＵＥに、同期信号ブロック送信属性および１つまたは複数のＢＷＰ送信属性に基づいて、キャリアのＢＷＰにわたってダウンリンク送信を送信すること、ここで、ダウンリンク送信は、時分割多重化スキームおよび周波数分割多重化スキームを備える複数のあらかじめ定義された多重化スキームから選択されたパターンに従って、同期信号ブロックと多重化され、パターンは、ダウンリンク送信と同期信号ブロックとの間に周波数領域中に挿入されたガードインターバルを含む、とを行うようにプロセッサによって実行可能な命令を含み得る。
【００５１】
[0051]本明細書で説明する方法、装置、および非一時的コンピュータ可読媒体のいくつかの例では、同期信号ブロック送信属性は、第１のＳＣＳを含み、１つまたは複数のＢＷＰ送信属性は、第２のＳＣＳを含む。本明細書で説明される方法、装置、および非一時的コンピュータ可読媒体のいくつかの例では、第１のＳＣＳおよび第２のＳＣＳは、異なり得る。
【００５２】
[0052]本明細書で説明する方法、装置、および非一時的コンピュータ可読媒体のいくつかの例では、送信属性が、送信ビーム方向または受信ビーム方向を含む。
【図面の簡単な説明】
【００５３】
【図１】図１は、本開示の態様による、混合属性を持つ帯域幅部分（ＢＷＰ）送信のための周波数分割多重化（ＦＤＭ）をサポートするワイヤレス通信システムの一例を例示する。
【図２】図２は、本開示の態様による、混合属性を持つＢＷＰ送信のためのＦＤＭをサポートするワイヤレス通信システムの一例を例示する。
【図３Ａ】図３Ａは、本開示の態様による、混合属性を持つＢＷＰ送信のためのＦＤＭの例を例示する。
【図３Ｂ】図３Ｂは、本開示の態様による、混合属性を持つＢＷＰ送信のためのＦＤＭの例を例示する。
【図３Ｃ】図３Ｃは、本開示の態様による、混合属性を持つＢＷＰ送信のためのＦＤＭの例を例示する。
【図４】図４は、本開示の態様による、混合属性を持つＢＷＰ送信のためのＦＤＭをサポートするワイヤレスデバイスのブロック図を示す。
【図５】図５は、本開示の態様による、混合属性を持つＢＷＰ送信のためのＦＤＭをサポートするワイヤレスデバイスのブロック図を示す。
【図６】図６は、本開示の態様による、混合属性を持つＢＷＰ送信のためのＦＤＭをサポートするＵＥ通信マネージャのブロック図を示す。
【図７】図７は、本開示の態様による、混合属性を持つＢＷＰ送信のためのＦＤＭをサポートするデバイスを含むシステムの図を示す。
【図８】図８は、本開示の態様による、混合属性を持つＢＷＰ送信のためのＦＤＭをサポートするワイヤレスデバイスのブロック図を示す。
【図９】図９は、本開示の態様による、混合属性を持つＢＷＰ送信のためのＦＤＭをサポートするワイヤレスデバイスのブロック図を示す。
【図１０】図１０は、本開示の態様による、混合属性を持つＢＷＰ送信のためのＦＤＭをサポートする基地局通信マネージャのブロック図を示す。
【図１１】図１１は、本開示の態様による、混合属性を持つＢＷＰ送信のためのＦＤＭをサポートするデバイスを含むシステムの図を示す。
【図１２】図１２は、本開示の態様による、混合属性を持つＢＷＰ送信のためのＦＤＭのための方法を示すフローチャートを示す。
【図１３】図１３は、本開示の態様による、混合属性を持つＢＷＰ送信のためのＦＤＭのための方法を示すフローチャートを示す。
【図１４】図１４は、本開示の態様による、混合属性を持つＢＷＰ送信のためのＦＤＭのための方法を示すフローチャートを示す。
【図１５】図１５は、本開示の態様による、混合属性を持つＢＷＰ送信のためのＦＤＭのための方法を示すフローチャートを示す。
【図１６】図１６は、本開示の態様による、混合属性を持つＢＷＰ送信のためのＦＤＭのための方法を示すフローチャートを示す。
【図１７】図１７は、本開示の態様による、混合属性を持つＢＷＰ送信のためのＦＤＭのための方法を示すフローチャートを示す。
【図１８】図１８は、本開示の態様による、混合属性を持つＢＷＰ送信のためのＦＤＭのための方法を示すフローチャートを示す。
【発明の詳細な説明】
【００５４】
[0063]基地局は、セル獲得およびタイミング同期プロシージャのためにユーザ機器（ＵＥ）に送信するための１つまたは複数の同期信号（ＳＳ）ブロックを構成し得る。たとえば、ＳＳブロックは、プライマリＳＳ（ＰＳＳ）、セカンダリＳＳ（ＳＳＳ）、および物理ブロードキャストチャネル（ＰＢＣＨ）のために割り振られたシンボルを含み得る。このようなＳＳブロックは、いくつかの事前定義されたヌメロロジ（たとえば、サブキャリア間隔（ＳＣＳ））のような、いくつかのＳＳブロック送信属性に従って送られ得る。例えば、ＳＳブロックは、６ＧＨｚ未満の動作周波数に対しては１５ｋＨｚまたは３０ｋＨｚのＳＣＳに従って、６ＧＨｚを超える動作周波数に対しては１２０ｋＨｚまたは２４０ｋＨｚに従って送信され得る。追加として、基地局は、ＵＥとの他のダウンリンク通信（たとえば、物理ダウンリンク共有チャネル（ＰＤＳＣＨ）、物理ダウンリンク制御チャネル（ＰＤＣＣＨ）、チャネル状態情報基準信号（ＣＳＩ−ＲＳ）、等）のために帯域幅部分（ＢＷＰ）と呼ばれる、チャネル周波数帯域幅の１つまたは複数の部分を利用し得る。いくつかのケースでは、これらの構成されたＢＷＰ内のこのようなダウンリンク送信は、異なる送信属性に関連付けられ得る（たとえば、ＢＷＰ内のダウンリンク送信のＳＣＳは、ＳＳブロックＳＣＳとは異なり得る）。例えば、ＳＳブロックは、（６０ｋＨｚのような）あるＳＣＳを決して使用しないことがあり、したがって、このようなＳＣＳに関連するＢＷＰにおけるダウンリンク送信は、ＳＳブロックのＳＣＳとは異なるＳＣＳを常に有することになる。
【００５５】
[0064]いくつかのケースでは、基地局は、ダウンリンク送信およびＳＳブロックを搬送するために周波数分割多重化（ＦＤＭ）技法を使用し得る。基地局は、様々なファクタに依存して、ＢＷＰのために構成された送信属性を使用して、および／またはＳＳブロック送信属性を使用して、ＢＷＰ内でダウンリンク送信を送信することを選択し得る。このようなファクタは、ＵＥの能力、ダウンリンク送信のその瞬間のリソースがＳＳブロックとＦＤＭされるかどうか（たとえば、ダウンリンク送信の特定の時間リソースがＳＳブロックの時間リソースと重複するかどうか）、等を含み得る。本明細書で説明される技法は、他のダウンリンク送信とともにＳＳブロックの効率的なＦＤＭ対処または管理を提供する。
【００５６】
[0065]本開示の態様は、ワイヤレス通信システムのコンテキストにおいて最初に説明される。次いで、ＢＷＰ内の送信のための混合送信属性のための技法を採用する例示的なＦＤＭシナリオが説明される。本開示の態様は、混合属性を持つＢＷＰ送信のためのＦＤＭに関する装置図、システム図、およびフローチャートによってさらに例示され、それらを参照して説明される。
【００５７】
[0066]図１は、本開示の態様による、混合属性を持つＢＷＰ送信のためのＦＤＭをサポートするワイヤレス通信システムの一例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）ネットワーク、ＬＴＥ−Ａｄｖａｎｃｅｄ（ＬＴＥ−Ａ）ネットワーク、または新無線（ＮＲ）ネットワークであり得る。いくつかのケースでは、ワイヤレス通信システム１００は、拡張されたブロードバンド通信、高信頼性（たとえば、ミッションクリティカルな）通信、低レイテンシ通信、または低コストおよび低複雑性デバイスとの通信をサポートし得る。ＵＥ１１５は、ＳＳブロックをモニタすることによって、基地局１０５とのセル獲得プロシージャおよび同期プロシージャを実行し得る。接続が確立されると、基地局１０５とＵＥ１１５との間の通信リンク１２５のために１つまたは複数のＢＷＰが構成され得る。いくつかのケースでは、基地局１０５は、１つまたは複数の構成されたＢＷＰ内で（たとえば、同期のための）ＳＳブロックならびにダウンリンク送信を搬送するためにＦＤＭを利用し得る。
【００５８】
[0067]基地局１０５は、１つまたは複数の基地局アンテナを介してＵＥ１１５とワイヤレスに通信し得る。各基地局１０５は、それぞれの地理的なカバレッジエリア１１０のために通信カバレッジを提供し得る。ワイヤレス通信システム１００中に示される通信リンク１２５は、ＵＥ１１５から基地局１０５へのアップリンク送信、または基地局１０５からＵＥ１１５へのダウンリンク送信を含み得る。制御情報およびデータは、様々な技法にしたがって、アップリンクチャネルまたはダウンリンクチャネル上で多重化され得る。制御情報およびデータは、たとえば、時分割多重化（ＴＤＭ）技法、ＦＤＭ技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）中に送信される制御情報は、カスケード方式で異なる制御領域間で（例えば、共通制御領域と、１つまたは複数のＵＥ固有制御領域との間で）分散され得る。
【００５９】
[0068]ＵＥ１１５は、ワイヤレス通信システム１００全体にわたって分散され得、各ＵＥ１１５は、固定またはモバイルであり得る。モバイルデバイス１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語としても呼ばれ得る。ＵＥ１１５はまた、セルラ電話、携帯情報端末（ＰＤＡ）、ワイヤレスモデム、、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ）デバイス、全てのインターネット（ＩｏＥ）デバイス、マシンタイプ通信（ＭＴＣ）デバイス、電気器具、自動車、または同様のものであり得る。
【００６０】
[0069]いくつかのケースでは、ＵＥ１１５はまた、（例えば、ピアツーピア（Ｐ２Ｐ）またはデバイスツーデバイス（Ｄ２Ｄ）プロトコルを使用して）他のＵＥと直接通信することも可能であり得る。Ｄ２Ｄ通信を利用するＵＥ１１５のグループのうちの１つまたは複数は、セルのカバレッジエリア１１０内にあり得る。このようなグループにおける他のＵＥ１１５は、セルのカバレッジエリア１１０の外部にあり得るか、または他の理由で、基地局１０５からの送信を受信することができない。いくつかのケースでは、Ｄ２Ｄ通信を介して通信するＵＥ１１５の複数のグループは、各ＵＥ１１５がグループにおけるその他全ての（every other）ＵＥ１１５に送信する、一対多（one-to-many）（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５とは無関係に行われる。
【００６１】
[0070]ＭＴＣまたはＩｏＴデバイスなどの、いくつかのＵＥ１１５は、低コストまたは低複雑度のデバイスであり得、マシン間の自動化された通信、すなわち、マシンツーマシン（Ｍ２Ｍ）通信を提供し得る。Ｍ２ＭまたはＭＴＣは、デバイスが、人間の介在なしに互いまたは基地局と通信することを可能にするデータ通信技術を指し得る。例えば、Ｍ２ＭまたはＭＴＣは、情報を測定またはキャプチャするためのセンサまたはメータを統合し、その情報を使用すること、またはプログラムまたはアプリケーションと相互作用している人間にその情報を提示することができるアプリケーションプログラムまたは中央サーバにその情報を中継するデバイスからの通信を指し得る。いくつかのＵＥ１１５は、情報を収集するか、または機械の自動化された挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候および地質学的イベントモニタリング、保有車両（fleet）管理および追跡、リモートセキュリティ感知、物理アクセス制御、および取引ベースのビジネス課金（transaction-based business charging）を含む。
【００６２】
[0071]基地局１０５は、コアネットワーク１３０と、および互いに通信し得る。例えば、基地局１０５は、バックホールリンク１３２（例えば、Ｓ１、等）を通じてコアネットワーク１３０とインターフェースし得る。基地局１０５は、（例えば、コアネットワーク１３０を通じて）直接的にまたは間接的にのいずれかで、バックホールリンク１３４（例えば、Ｘ２など）を介して互いに通信し得る。基地局１０５は、ＵＥ１１５との通信のために無線構成およびスケジューリングを実行し得るか、または基地局コントローラ（図示せず）の制御下で動作し得る。様々な例では、基地局１０５は、マクロセル、スモールセル、ホットスポット、等であり得る。基地局１０５はまた、ｅＮｏｄｅＢ（ｅＮＢ）１０５、次世代ＮｏｄｅＢ（ｇＮＢ）１０５、等と呼ばれ得る。
【００６３】
[0072]いくつかのケースでは、ワイヤレス通信システム１００は、レイヤ化されたプロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットセグメンテーションおよびリアセンブリを実行し得る。媒体アクセス制御（ＭＡＣ）レイヤは、優先対処（priority handling）、およびトランスポートチャネルへの論理チャネルの多重化を実行し得る。ＭＡＣレイヤはまた、リンク効率を改善するため、ＭＡＣレイヤにおける再送信を提供するために、ハイブリッド自動再送要求（ＨＡＲＱ）を使用し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００６４】
[0073]ワイヤレス通信システム１００は、マルチプルなセルまたはキャリア上での動作、つまりキャリアアグリゲーション（ＣＡ）またはマルチキャリア動作と称され得る特徴を、サポートし得る。キャリアはまた、コンポーネントキャリア（ＣＣ）、レイヤ、チャネル、等と呼ばれ得る。「キャリア」、「コンポーネントキャリア」、および「チャネル」という用語は、本明細書で互換的に使用され得る。ＵＥ１１５は、キャリアアグリゲーションのために複数のダウンリンクＣＣおよび１つまたは複数のアップリンクＣＣで構成され得る。キャリアアグリゲーションは、周波数分割複信（ＦＤＤ）コンポーネントキャリアと時分割複信（ＴＤＤ）コンポーネントキャリアの両方とともに使用され得る。
【００６５】
[0074]いくつかのケースでは、ワイヤレス通信システム１００は、拡張コンポーネントキャリア（ｅＣＣ）を利用し得る。ｅＣＣは、より広い帯域幅、より短いシンボル持続時間、より短いＴＴＩ、および修正された制御チャネル構成を含む１つまたは複数の特徴によって特徴付けられ得る。いくつかのケースでは、ｅＣＣは、（例えば、複数のサービングセルが準最適のまたは理想的でないバックホールリンクを有するとき）デュアルコネクティビティ構成またはキャリアアグリゲーション構成に関連付けられ得る。ｅＣＣはまた、（１以上のオペレータがスペクトルを使用することを許可される）アンライセンススペクトルまたは共有スペクトルで使用するために構成され得る。広帯域幅を特徴とするｅＣＣは、（例えば、電力を節約するために）帯域幅全体をモニタすることができないか、または限定された帯域幅を使用することを好むＵＥ１１５によって利用され得る１つまたは複数のセグメントを含み得る。
【００６６】
[0075]いくつかのケースでは、ｅＣＣは、他のＣＣとは異なるシンボル持続期間を利用し得、それは、他のＣＣのシンボル持続期間と比較すると、低減されたシンボル持続期間の使用を含み得る。より短いシンボル持続時間は、増加したＳＣＳに関連付けられ得る。ｅＣＣにおけるＴＴＩは、１つまたは複数のシンボルから成り得る。いくつかのケースでは、ＴＴＩ持続期間（すなわち、ＴＴＩ中のシンボルの数）は、可変であり得る。いくつかのケースでは、ｅＣＣは、他のＣＣ）とは異なるシンボル持続期間を利用し得、それは、他のＣＣのシンボル持続期間と比較すると、低減されたシンボル持続期間の使用を含み得る。より短いシンボル持続時間は、増加したＳＣＳに関連付けられる。ｅＣＣを利用する、ＵＥ１１５または基地局１０５のようなデバイスは、低減されたシンボル持続時間（例えば、１６．６７マイクロ秒）でワイドバンド信号（例えば、２０、４０、６０、８０ＭＨｚ、等）を送信し得る。ｅＣＣにおけるＴＴＩは、１つのまたは複数のシンボルから成り得る。いくつかのケースでは、ＴＴＩ持続期間（すなわち、ＴＴＩ中のシンボルの数）は、可変であり得る。
【００６７】
[0076]共有無線周波数スペクトル帯域は、ＮＲ共有スペクトルシステムにおいて利用され得る。例えば、ＮＲ共有スペクトルは、ライセンススペクトル、共有スペクトル、およびアンライセンススペクトル、等の任意の組み合わせを利用し得る。ｅＣＣシンボル持続時間およびＳＣＳの柔軟性は、複数のスペクトルにわたるｅＣＣの使用を可能にし得る。いくつかの例では、特に、リソースの動的垂直（例えば、周波数にわたる）共有および水平（例えば、時間にわたる）共有を通して、ＮＲ共有スペクトルは、スペクトル利用及びスペクトル効率を増加させ得る。無免許無線周波数バンドで動作しているとき、基地局１０５およびＵＥ１１５のようなワイヤレスデバイスは、データを送信する前にチャネルがクリアであることを保証するためのリッスンビフォアトーク（ＬＢＴ：listen-before-talk）プロシージャを利用し得る。いくつかのケースでは、無免許帯域での動作は、免許帯域中で動作するＣＣとともに、ＣＡ構成に基づき得る。無免許スペクトルでの動作は、ダウンリンク送信、アップリンク送信、または両方を含み得る。無認可スペクトルにおける複信は、ＦＤＤ、ＴＤＤ、または両方の組合せに基づき得る。
【００６８】
[0077]ワイヤレス通信システム１００は、３００ＭＨｚから３ＧＨｚまでの周波数帯域を使用する極超短波（ＵＨＦ）領域において動作し得る。この領域はまた、波長の長さがおよそ１デシメートル〜１メートルの範囲にあるので、デシメートル帯域としても知られ得る。ＵＨＦ波は、主に見通し線によって伝搬し得、建物および環境特徴によって遮られ得る。しかしながら、その波は、屋内に位置するＵＥ１１５にサービスを提供するのに十分に壁を透過し得る。ＵＨＦ波の送信は、スペクトルの短波（ＨＦ）または超短波（ＶＨＦ）部分のより小さい周波数（およびより長い波）を使用する送信と比較して、より小さいアンテナおよびより短いレンジ（例えば、１００ｋｍ未満）によって特徴付けられる。ワイヤレス通信システム１００はまた、センチメートル帯域としても知られる、３ＧＨｚから３０ＧＨｚまでの周波数帯域を使用する超高周波（ＳＨＦ）領域において動作し得る。いくつかのケースでは、ワイヤレス通信システム１００はまた、ミリメートル帯域としても知られる、スペクトルの極高周波（ＥＨＦ）部分（たとえば、３０ＧＨｚから３００ＧＨｚまで）を利用し得る。この領域を使用するシステムは、ミリメートル波（ｍｍＷ）システムと呼ばれ得る。したがって、ＥＨＦアンテナは、ＵＨＦアンテナよりもさらに小さく、より狭い間隔で配置され得る。いくつかのケースでは、これは、（例えば、指向性ビームフォーミングのための）ＵＥ１１５内のアンテナアレイの使用を容易にし得る。しかしながら、ＥＨＦ送信は、ＵＨＦ送信よりもさらに大きい大気減衰を受けることがあり、より短いレンジであり得る。本明細書で開示する技法は、１つまたは複数の異なる周波数領域を使用する送信にわたって採用され得る。
【００６９】
[0078]ワイヤレス通信システム１００は、ＵＥ１１５と基地局１０５との間のミリ波（ｍｍＷ）通信をサポートし得る。ｍｍＷ、ＳＨＦ、ＥＨＦ帯域で動作するデバイスは、ビームフォーミングを可能にするために複数のアンテナを有し得る。ビームフォーミングはまた、これらの周波数帯域の外側で（例えば、増加したセルラーカバレッジが所望される任意のシナリオにおいて）採用され得る。すなわち、基地局１０５は、ＵＥ１１５との指向性通信のためのビームフォーミング動作を実施するために、複数のアンテナまたはアンテナアレイを使用し得る。ビームフォーミング（これは、空間フィルタリングまたは指向性送信とも呼ばれ得る）は、ターゲット受信機（例えば、ＵＥ１１５）の方向にアンテナビーム全体をステアリングするまたはシェーピングするために、送信機（例えば、基地局１０５）において使用され得る信号処理技法である。これは、特定の角度における送信された信号が強め合う干渉を経験する一方で、他のものが弱め合う干渉を経験するように、アンテナアレイにおける要素を組み合わせることによって達成され得る。例えば、基地局１０５は、基地局１０５がＵＥ１１５とその通信においてビームフォーミングのために使用するアンテナポートの多数の行および列を持つアンテナアレイを有し得る。信号は、異なる方法に複数回送信され得る（例えば、各送信が異なってビームフォーミングされ得る）。ｍｍＷ受信機（例えば、ＵＥ１１５）は、信号を受信している間に、複数のビーム（例えば、アンテナサブアレイ）を試し得る。これらのビームの各々は、本開示の態様では受信ビームと呼ばれ得る。
【００７０】
[0079]多入力多出力（ＭＩＭＯ）ワイヤレスシステムは、送信機（例えば、基地局１０５）と受信機（例えば、ＵＥ１１５）との間の送信スキームを使用する、ここで、送信機および受信機の両方は、複数のアンテナを備えている。いくつかのケースでは、基地局１０５またはＵＥ１１５のアンテナは、１つまたは複数のアンテナアレイ中に位置付けられ得、それは、ビームフォーミングまたはＭＩＭＯ動作をサポートし得る。１つまたは複数の基地局アンテナまたはアンテナアレイは、アンテナタワーのような、アンテナアセンブリとコロケートされ得る。いくつかのケースでは、基地局１０５に関連付けられたアンテナまたはアンテナアレイは、異なる地理的ロケーション中にロケートされ得る。すなわち、基地局１０５は、ＵＥ１１５との指向性通信のためのビームフォーミング動作を実施するために、複数のアンテナまたはアンテナアレイを使用し得る。
【００７１】
[0080]同期（たとえば、セル獲得）は、ネットワークエンティティ（たとえば、基地局１０５）によって送信される同期信号またはチャネルを使用して実行され得る。基地局は、発見基準信号を含むＳＳブロックを送信し得る。ＳＳブロックは、ＰＳＳ、ＳＳＳ、および／またはＰＢＣＨを含み得る。ワイヤレスネットワークにアクセスしようと試みるＵＥ１１５は、基地局１０５からのＰＳＳを検出することによって初期セル探索を実行し得る。ＰＳＳは、シンボルタイミングの同期を可能にし得、物理レイヤ識別値を示し得る。ＰＳＳは、タイミングおよび周波数ならびに物理レイヤ識別子を獲得するために利用され得る。ＵＥ１１５は、次いで、基地局１０５からＳＳＳを受信し得る。ＳＳＳは、無線フレーム同期を可能にし得、セルグループ識別値を提供し得る。セルグループ識別値は、セルを識別する物理セル識別子（ＰＣＩＤ）を形成するために物理レイヤ識別子と組み合わされ得る。ＳＳＳはまた、複信モードおよびサイクリックプレフィックス（ＣＰ）長の検出を可能にし得る。ＳＳＳは、他のシステム情報（たとえば、サブフレームインデックス）を獲得するために使用され得る。ＰＢＣＨは、獲得のために必要とされる追加のシステム情報（たとえば、帯域幅、フレームインデックス、等）を獲得するために使用され得る。たとえば、ＰＢＣＨは、所与のセルのためのマスタ情報ブロック（ＭＩＢ）および１つまたは複数のシステム情報ブロック（ＳＩＢ）を搬送し得る。
【００７２】
[0081]（たとえば、ＮＲにおける）ｍｍＷ送信周波数を使用する展開では、複数のＳＳブロックは、ＳＳバースト中でビーム掃引を使用して異なる方向に送信され得、ＳＳバーストは、ＳＳバーストセットに従って周期的に送信され得る。ＳＳバーストの持続時間は、本明細書ではＳＳバーストセット測定ウィンドウと呼ばれ得る。ＳＳブロックがＳＳバーストの間に（たとえば、４または５ｍｓのＳＳバーストセット測定ウィンドウの間に）送られる方向の数は、異なる構成では異なり得、方向の数はまた、基地局１０５が動作している帯域幅の関数であり得る。例えば、ＳＳブロックは、基地局１０５が０〜３ＧＨｚ範囲で動作しているときに４つの異なる方向に、基地局が３〜６ＧＨｚ範囲で動作しているときに８つの異なる方向に、基地局が６ＧＨｚよりも高い周波数で動作しているときに６４までの異なる方向に送信（例えば、ビームフォーミング）され得る。
【００７３】
[0082]ＬＴＥまたはＮＲにおける時間間隔は、（ＴS＝１／３０，７２０，０００秒のサンプリング期間であり得る）基本時間単位の倍数で表現され得る。時間リソースは、０から１０２３までの範囲のシステムフレーム番号（ＳＦＮ）によって識別され得る、１０ｍｓ（Ｔ＝３０７２００Ｔs）の長さの無線フレームに従って編成され得る。各フレームは、０から９まで番号付けされた１０個の１ｍｓサブフレームを含み得る。サブフレームは、２つの５ｍｓスロットにさらに分割され得、それらの各々が（各シンボルに付加されたサイクリックプレフィックスの長さに依存して）６または７変調シンボル期間を含む。サイクリックプレフィックスを除いて、各シンボルは、２０４８個のサンプル期間を含む。ＮＲでは、時間領域におけるシンボル間隔は、周波数領域におけるトーン間隔（またはＳＣＳ）とともに変化し得る。たとえば、２４０ｋＨｚのＳＣＳは、約４μｓのシンボル持続時間に対応し得、３０ｋＨｚのＳＣＳは、約３３μｓのシンボル持続時間に対応し得る。いくつかのケースでは、サブフレームは、ＴＴＩとしても知られる最小スケジューリング単位であり得る。他のケースでは、ＴＴＩは、（例えば、短いＴＴＩバースト中で、または短いＴＴＩを使用する選択されたコンポーネントキャリア中で）動的に選択され得るか、またはサブフレームよりも短い可能性がある。
【００７４】
[0083]リソース要素は、１つのシンボル期間および１つのサブキャリア（例えば、１５ＫＨｚ周波数範囲）で構成され得る。リソースブロックは、周波数領域において１２個の連続するサブキャリアを含み得、各直交周波数分割多重（ＯＦＤＭ）シンボルにおける通常のサイクリックプレフィックスについて、時間領域（１スロット）において７個の連続するＯＦＤＭシンボル、または８４個のリソース要素を含み得る。各リソース要素によって搬送されるビットの数は、変調スキーム（各シンボル期間中に選択され得るシンボルの構成）に依存し得る。よって、ＵＥが受信するリソースブロックが多いほど、また、変調スキームが高度であるほど、データレートは高くなり得る。
【００７５】
[0084]上記で示したように、いくつかのケースでは、複数のＢＷＰは、基地局１０５とＵＥ１１５との間の通信リンク１２５のために構成され得る。基地局１０５は、ＢＷＰのリソースの許可を含み得るまたは含み得ないダウンリンク制御情報（ＤＣＩ）送信を通じて、アクティブ化されたＢＷＰのインジケーションをＵＥ１１５に提供し得る。いくつかのケースでは、ＵＥ１１５は、１つまたは複数のＣＣが１つまたは複数のＢＷＰで構成され得、ＣＣが、ＣＣのために構成された１つまたは複数のＢＷＰのアクティブ化を通じてアクティブ化され得る、基地局１０５との接続を確立し得る。このようなＣＣは、ＣＣのために構成された各ＢＷＰの非アクティブ化を通じて非アクティブ化され得る。
【００７６】
[0085]いくつかのケースでは、ワイヤレス通信システム１００によって採用される、構成されたＢＷＰ内のＳＳブロックおよびダウンリンク送信は、混合送信属性（たとえば、ＳＣＳ、ビーム方向など）に関連付けられ得る。すなわち、異なる（たとえば、混合された）送信属性は、ＢＷＰ内のＳＳブロック送信および他のダウンリンク送信（たとえば、ＰＤＣＣＨのような制御送信、またはＰＤＳＣＨ、ＣＳＩ−ＲＳのようなデータ送信）に関連付けられ得る。（たとえば、ＦＤＭシナリオにおける）このような混合伝送属性に対処するための技法は、以下の図面を参照してより詳細に説明される。
【００７７】
[0086]図２は、本開示の態様による、混合属性を持つＢＷＰ送信のためのＦＤＭをサポートするワイヤレス通信システム２００の一例を例示する。いくつかの例では、ワイヤレス通信システム２００は、ワイヤレス通信システム１００の態様をインプリメントし得る。たとえば、ワイヤレス通信システム２００は、基地局１０５−ａとＵＥ１１５−ａとを含み、それらの各々は、図１を参照しながら説明した対応するデバイスの一例であり得る。本例では、基地局１０５−ａは、１つまたは複数の送信ビーム２０５を介してダウンリンク通信２１５を搬送し得る。ＵＥ１１５−ａは、１つまたは複数の受信ビーム２１０を介してこのような通信を受信し得る。ダウンリンク通信２１５は、１つまたは複数のＳＳブロック２２５、ならびにダウンリンク送信２２０（たとえば、構成されたＢＷＰ内で、ＰＤＳＣＨ、ＰＤＣＣＨ、ＣＳＩ−ＲＳ、等のようなダウンリンクデータまたはダウンリンク信号）を含み得る。いくつかのケースでは、ダウンリンク通信２１５は、ＦＤＭを採用し得る。さらなるＳＳブロック２２５およびダウンリンク送信２２０は各々、いくつかの送信属性（たとえば、ＳＣＳ、送信ビーム２０５に関連するビーム方向、受信ビーム２１０に関連付けられたビーム方向、等）に関連付けられ得る。いくつかのケースでは、送信または受信ビーム方向は、ビーム識別子（ＩＤ）に対応し得る。
【００７８】
[0087]基地局１０５−ａは、（たとえば、ＵＥ１１５−ａが基地局１０５−ａに関連付けられたセルと同期するのを支援するために）セル獲得およびタイミング同期プロシージャのためにＵＥ１１５−ａに送信するための１つまたは複数のＳＳブロック２２５を構成し得る。たとえば、ＳＳブロック２２５は、ＵＥ１１５−ａがセルのタイミングを獲得するのを支援する信号（たとえば、ＰＳＳ、ＳＳＳ、およびＰＢＣＨ）を含み得る。いくつかのケースでは、基地局１１５−ａは、たとえば、特定の持続時間の間持続するＳＳバースト中で、複数のＳＳブロック２２５を送信し得る。ＳＳブロックは、たとえば、ビーム掃引パターン（たとえば、送信ビーム２０５−ａ、２０５−ｂ、２０５−ｃ、２０５−ｄなどを含むビーム掃引パターン）で、ビームフォーミングを使用して異なる時間に異なる方向に送信され得る。しかしながら、このようなＳＳバーストは、（たとえば、図３を参照してさらに説明するように、送信ビーム２０５−ｃに関連付けられた特定のＳＳブロック２２５がＵＥ１１５−ａを対象とし得るのに対して）複数のＵＥ１１５を対象とし得る。いくつかの例では、ＳＳバーストまたはＳＳブロック２２５は、ＵＥ１１５が時間にわたって基地局１０５との同期を維持し得るように、周期的に搬送され得る。
【００７９】
[0088]一例では、ＵＥ１１５−ａは、受信ビーム２１０−ａおよび２１０−ｂを形成し得る。いくつかのケースでは、受信ビーム２１０−ａおよび２１０−ｂは各々、１つまたは複数の送信ビーム２０５を介して送られた信号を受信し得る。１つの送信ビーム２０５を介して送信された信号が、ＵＥ１１５−ａのそれぞれのアンテナに向かう途中で異なるパスロスおよび位相シフトを経験し得るので、かつ、各受信ビーム２１０−ａおよび２１０−ｂが、ＵＥ１１５−ａのアンテナに異なる重みを与え得るので、１つの受信ビーム２１０にわたって受信された信号は、異なる受信ビーム２１０にわたって受信された信号とは異なる信号特性を有し得る。ＵＥ１１５−ａは、受信信号品質に基づいて送信ビーム２０５および受信ビーム２１０を選択し得る。送信ビーム２０５および対応する受信ビーム２１０は、ビームペアと呼ばれ得る。たとえば、いくつかのケースでは、基地局１０５−ａは、（たとえば、すべての方向において）複数の送信ビーム２０５にわたって送信を繰り返し得、ＵＥ１１５−ａは、ＵＥがしきい値を上回る信号品質で、（たとえば、受信ビーム２１０−ａまたは２１０−ｂを介して）受信することができるビームを報告し得る、または最も強い受信ビームを報告し得る。これらの送信ビーム２０５は、１つまたは複数のＵＥ１１５に向けられたブロードキャストビームであり得、いくつかのケースでは、各々がＳＳブロック２２５に関連付けられ得る。
【００８０】
[0089]さらに、基地局１０５−ａは、（たとえば、ダウンリンク通信２１５に関連付けられた）チャネル周波数帯域幅の１つまたは複数の部分を利用し得、それは、いくつかの場合には、ダウンリンク送信２２０のためのＢＷＰと呼ばれ得る。ＢＷＰは、たとえば、チャネル周波数帯域幅のサイズ、ダウンリンク送信２２０のサイズ、ＵＥ１１５−ａまたは他のＵＥ１１５の能力、等に従って構成され得る。
【００８１】
[0090]ＳＳブロック２２５およびダウンリンク送信２２０は、たとえば、ＳＣＳ、（たとえば、ＳＳブロック２２５またはダウンリンク送信２２０の送信および／または受信に関連付けられた）ビーム方向、等を含むいくつかの送信属性に従って送られ得る。例えば、ＳＳブロック２２５は、６ＧＨｚ未満の動作周波数に対しては１５ｋＨｚまたは３０ｋＨｚのＳＣＳに従って、６ＧＨｚを超える動作周波数に対しては１２０ｋＨｚまたは２４０ｋＨｚのＳＣＳに従って送信され得る。ＵＥ１１５は、暗黙的または明示的な情報を介して送信属性を識別し得る。たとえば、ＵＥ１１５は、キャリアにクロスキャリアスケジューリングされ得、ＳＳブロックを受信する前にキャリアの送信属性に関する情報を受信し得る。追加または代替として、ＵＥ１１５は、１つまたは複数の送信属性に従ってＳＳブロックについてキャリアをモニタし得、したがって、ＳＳブロックを検出することによって暗黙的に送信属性を検出し得る。追加として、ダウンリンク送信２２０（たとえば、１つまたは複数の構成されたＢＷＰ内で送信される、ＰＤＳＣＨ、ＰＤＣＣＨ、ＣＳＩ−ＲＳ、等）は、異なる送信属性に関連付けられ得る。たとえば、ダウンリンク送信２２０は、（たとえば、送信されたＳＳブロック２２５のＳＣＳと比較して）異なるＳＣＳ、異なる送信ビーム２０５、異なる受信ビーム２１０、等に従って送信され得る。一般に、ＳＳブロックのための送信属性は、ＳＳブロック送信属性と呼ばれ得、キャリアのＢＷＰのための構成に含まれる送信属性は、ＢＷＰ送信属性と呼ばれ得、チャネルまたは信号に関連付けられた送信属性は、チャネルまたは信号属性と呼ばれ得る。送信属性のセットは、ヌメロロジと呼ばれ得る。本明細書で説明する技法は、ＳＳブロック２２５および他のダウンリンク送信２２０が混合ヌメロロジ（たとえば、送信パラメータ、特性、等）に関連付けられたシナリオにおいて、ＦＤＭ通信の効率的な対処または管理を提供する。
【００８２】
[0091]たとえば、基地局１０５−ａは、ＢＷＰ内の送信のための１つまたは複数のＢＷＰ送信属性を含む（たとえば、キャリアの）ＢＷＰのための構成を識別し得る。すなわち、基地局１０５−ａは、ＢＷＰ内のダウンリンク送信２２０のための送信属性を構成し得る。たとえば、基地局１０５−ａは、構成されたＢＷＰにＳＣＳを関連付け得るか、または送信属性を有するＢＷＰを介した送信のためのチャネルもしくは信号を構成し得る。追加または代替として、基地局１０５−ａは、ビーム方向（たとえば、送信ビーム２０５、受信ビーム２１０、またはアクティブビームペアに関連付けられたビームＩＤ）を構成されたＢＷＰに関連付け得る。
【００８３】
[0092]さらに、ＵＥ１１５は、たとえば、送信されたＳＳブロックの一部として含まれるＰＢＣＨペイロードから、ＵＥによって決定され得るＢＷＰ構成に基づいて、１つまたは複数のＢＷＰ送信属性を識別し得る。そのため、ＢＷＰ送信属性は、ＳＳブロック送信のような信号に基づいて識別され得る。基地局１０５−ａは、ダウンリンク送信２２０のための許可をＵＥ１１５−ａに送信し得る。いくつかの例では、許可は、ＵＥ１１５−ａ（たとえば、ＦＤＭ）を対象とするＳＳブロック２２５と時間的に重複するリソースを示し得る。ＵＥ１１５−ａは、残りの最小システム情報（ＲＭＳＩ）またはＲＲＣ構成を介してＳＳブロック２２５リソース（たとえば、ＳＳブロック２２５が送信されるシンボル期間）を識別し得、受信された許可を介してダウンリンク送信２２０のタイミングを識別し得る。時間重複ダウンリンク送信２２０およびＳＳブロック２２５が同じ送信属性（たとえば、同じＳＣＳ）に関連付けられる場合、ＦＤＭは、ＵＥ１１５による受信についていかなる問題も提示し得ない。しかしながら、ダウンリンク送信２２０およびＳＳブロック２２５が異なるまたは混合された送信属性に関連付けられる場合、いくつかのＵＥ１１５は、混合された属性を有するＦＤＭ信号を処理することが不可能であり得る。たとえば、異なるＳＣＳでＦＤＭされる複数の信号を受信するＵＥ１１５は、異なる信号を復調するために、別個の逆離散フーリエ変換（ＩＤＦＴ）または逆高速フーリエ変換（ＩＦＦＴ）演算を実行する必要があり得る。いくつかのＵＥは、並列動作を実行するのに十分な処理リソースを有し得ない。図３Ａ−図３Ｃを参照しながら以下でより詳細に説明するように、（たとえば、混合送信属性を持つ）このようなＦＤＭに対処するための技法が採用され得る。さらに他の場合には、ＵＥは、（たとえば、時間においてＳＳブロック２２５と重複するダウンリンク送信２２０のリソースの）このようなＦＤＭをサポートし得ず、重複するリソースのためのＰＤＳＣＨ許可は、拒絶され得る。
【００８４】
[0093]いくつかの場合には、送信属性は、ＵＥ能力インジケーションに基づいて構成され得る。たとえば、基地局１０５−ａは、ＵＥ１１５−ａから受信された能力メッセージに基づいて、ダウンリンク送信２２０のための送信属性（たとえば、ＳＳブロック送信属性および／またはＢＷＰ送信属性）を選び得る。いくつかのケースでは、能力メッセージは、ＵＥがＦＤＭをサポートするか、混合送信属性を持つＦＤＭをサポートするか、許可内の送信属性のＴＤＭをサポートするか、等を示し得る。したがって、本明細書で説明するいくつかの技法は、ＵＥによって示されるこのような能力に基づいて選択または除外され得る。たとえば、ＵＥが、異なるビーム方向にわたってＦＤＭ受信をサポートしないことを示す場合、基地局は、ＦＤＭが使用されるＳＳブロック２２５とダウンリンク送信２２０の両方のために同じビーム方向（たとえば、ビームＩＤ）を使用し得る。別の例として、ＵＥが、混合された送信属性を有するＦＤＭをサポートすることができないことを示す場合、基地局１０５は、（ダウンリンク送信２２０内の送信属性の可能なＴＤＭを持つ）ＳＳブロック送信属性を使用して、ＳＳブロックでＦＤＭされるダウンリンク送信２２０を送信し得る。ＴＤＭがダウンリンク送信２２０内の（たとえば、異なる送信ビーム２０５および／または受信ビーム２１０を使用して）混合ビームのために使用されるケースでは、別個の復調基準信号（ＤＭＲＳ）は、（たとえば、各部分のためにチャネル推定を可能にするために）ＴＤＭされた部分の各々において使用され得る。
【００８５】
[0094]いくつかのケースでは、ダウンリンク送信２２０は、所与のＵＥ１１５のためのＳＳブロック２２５でＦＤＭされ得ない（たとえば、ＵＥ１１５がＦＤＭをサポートすることが可能でないことを示す場合）。このような場合、基地局１０５−ａは、ＳＳブロック２２５がスケジュールされる任意の重複するシンボル期間の間にダウンリンク送信２２０（たとえば、ＰＤＳＣＨ）を送信し得ない。このようなＵＥ１１５は、送信が、モニタすることが予想されるＳＳブロックと重複することを示す、ダウンリンク送信のための任意の許可を拒絶し得る。たとえば、ＵＥ１１５は、許可を誤って復号されたもの（たとえば、ＰＤＣＣＨ復号中の誤ったＣＲＣパス）として扱い得る。
【００８６】
[0095]上記の例がダウンリンク送信に関して（すなわち、送信ビーム２０５が基地局１０５−ａにおいて発生するように）説明されているが、アップリンク送信のための類似の考慮事項が本開示の範囲に含まれることを理解されたい。
【００８７】
[0096]図３Ａ、図３Ｂ、および図３Ｃは、本開示の態様による、混合属性を持つＢＷＰ送信のためのＦＤＭの例３００−ａ、３００−ｂ、および３００−ｃを例示する。図３Ａ−図３Ｃの例は、ワイヤレス通信システム１００およびワイヤレス通信システム２００の態様をインプリメントし得る。一般に、ＳＳブロックのための送信属性は、ＳＳ属性３０５と呼ばれ得、キャリアのＢＷＰのための構成中に含まれる送信属性（たとえば、またはＢＷＰ内の送信のための送信属性）は、ＢＷＰ属性３１０と呼ばれ得る。本明細書で説明する技法は、ＳＳブロック３１５および他のダウンリンク送信３２０が混合送信属性（たとえば、ＳＣＳ、送信ビームＩＤ、受信ビームＩＤ、ビームペアＩＤ、等を指し得る、送信パラメータ、特性、等）に関連付けられたシナリオにおけるＦＤＭ通信の効率的な対処または管理のための３つの例を提供する。いくつかのケースでは、ダウンリンク送信は、スキームまたはパターン（たとえば、ＦＤＭおよび／またはＴＤＭ）に従ってＳＳブロックと多重化され得る。例３００−ａ、３００−ｂ、および３００−ｃでは、周波数（たとえば、ｋＨｚ）は概して、垂直軸に沿って表され得、時間（たとえば、秒）は、概して、水平軸に沿って表され得る。
【００８８】
[0097]図３Ａは、ダウンリンク送信３２０−ａが（たとえば、基地局１０５または基地局１０５からの許可を介して）ＢＷＰ３２５−ａ内でスケジュールされる例３００−ａを示す。ダウンリンク送信３２０−ａは、時間リソースのセット３３０−ａのためのＳＳブロック３１５−ａとＦＤＭされる。いくつかのケースでは、時間リソースのセット３３０−ａは、ＦＤＭ持続時間と呼ばれ得る。例３００−ａ中に示される技法によれば、ダウンリンク送信３２０−ａ全体は、１つまたは複数のＳＳ属性３０５を使用して（たとえば、基地局１０５によって）送信され得る。すなわち、ダウンリンク送信３２０−ａの時間リソースのセット３３０−ａ（たとえば、ＦＤＭ部分）ならびに残りの部分（たとえば、ＳＳブロック３１５−ａと時間的に重複しないダウンリンク送信３２０−ａの残りのリソース）の両方が、ＳＳ属性３０５に関連付けられ得る。たとえば、ＦＤＭ領域がＳＳ属性３０５のみに関連付けられ得るので、ＦＤＭ領域（たとえば、時間リソースのセット３３０−ａ）に関連付けられた混合ヌメロロジは存在し得ない。さらに、後続のダウンリンク送信３２０−ｂはまた、（たとえば、ダウンリンク送信３２０−ａに続く時間で）ＢＷＰ３２５−ａにおいてスケジュールされ得る。いくつかのケースでは、ダウンリンク送信３２０−ｂは、ＳＳブロック３１５−ａと時間的に重複しない同じＵＥのための後続のダウンリンク送信であり得、したがって、ＤＬ  ＢＷＰ属性３１０を使用し得る。追加として、いくつかのケースでは、ＢＷＰ３２５−ａは、異なるＵＥのための追加の送信（図示せず）を含み得、それらのうちのいくつかは、ダウンリンク送信３２０−ａとＦＤＭされ得る。基地局は、いくつかの混合属性を有するＦＤＭ送信間の周波数領域にガードバンドを挿入し得る（たとえば、ガードバンドは、混合ビーム方向のＦＤＭの間ではなく、混合ＳＣＳ送信のＦＤＭのために挿入され得る、等）。
【００８９】
[0098]図３Ａはまた、ダウンリンク送信３２０−ａを受信するＵＥを対象としない、存在し得る（たとえば、サービング基地局によって送られる）ＳＳブロック（破線）を示す。上で説明したように、関連するＵＥに向けられていないこのようなＳＳブロックは、ＦＤＭシナリオに寄与せず、ＵＥに向けられたダウンリンク送信３２０のための送信属性選択において考慮されない。すなわち、ＳＳブロック３１５−ｂは、いくつかの他の近隣ＵＥを対象とするか、またはそれらに送信され得る。ＳＳブロック３１５−ｂがダウンリンク送信３２０−ｂと時間的に重複し得るが、ダウンリンク送信３２０−ｂは、依然としてＢＷＰ属性３１０に関連付けられ得る（たとえば、したがって、ダウンリンク送信３２０−ａに適用される例３００−ａの技法は、ダウンリンク送信３２０−ａとダウンリンク送信３２０−ｂの両方を受信するＵＥがＳＳブロック３１５−ｂをモニタしていないことがあるので、ダウンリンク送信３２０−ｂに適用され得ない）。一例では、例３００−ａを参照して説明される技法は、ＵＥが、ＦＤＭをサポートするが、混合属性（たとえば、混合ヌメロロジ）でＦＤＭをサポートしないことを（たとえば、能力メッセージを介して）示すときに選ばれ得る。
【００９０】
[0099]図３Ｂは、ダウンリンク送信３２０−ｃが（たとえば、基地局１０５または基地局１０５からの許可を介して）ＢＷＰ３２５−ｂ内でスケジュールされる例３００−ｂを例示する。ダウンリンク送信３２０−ｃは、時間リソースのセット３３０−ｂのためのＳＳブロック３１５−ｃとＦＤＭされる。いくつかのケースでは、時間リソースのセット３３０−ｂは、ＦＤＭ持続時間と呼ばれ得る。例３００−ｂに示される技法によれば、時間リソースのセット３３０−ｂに関連付けられたダウンリンク送信３２０−ｃの部分（たとえば、ＦＤＭ部分）は、ＳＳ属性３０５に関連付けられ得る。しかしながら、残りの部分（たとえば、ＳＳブロック３１５−ｃと時間的に重複しないダウンリンク送信３２０−ｃの残りのリソース）は、ＢＷＰ属性３１０に関連付けられ得る。したがって、ＦＤＭ領域がＳＳ属性３０５のみに関連付けられ得るので、ＦＤＭ領域（たとえば、時間リソース３３０−ｂのセット）に関連付けられた混合ヌメロロジは存在し得ない。しかしながら、ダウンリンク送信３２０−ｃ内に混合ヌメロロジのＴＤＭ領域は、存在する。さらに、後続のダウンリンク送信３２０−ｄはまた、（たとえば、ダウンリンク送信３２０−ｃに続く時間に）ＢＷＰ３２５−ｂにおいてスケジュールされ得る。図３Ｂに例示されるように、ダウンリンク送信３２０−ｄは、ＳＳブロック３１５−ｃと組み合わされたＴＤＭおよびＦＤＭスキームに従い得る。
【００９１】
[0100]図３Ｂはまた、ダウンリンク送信３２０−ｃを受信するＵＥを対象としない、存在し得る（たとえば、サービング基地局によって送られる）ＳＳブロック（破線）を示す。上で説明したように、関連するＵＥに向けられていないこのようなＳＳブロックは、ＦＤＭシナリオにも、ＵＥに向けられたダウンリンク送信３２０のための送信属性選択にも寄与しない、等である。すなわち、図示の破線のＳＳブロックは、いくつかの他の隣接ＵＥを対象とするか、またはそれらに送信され得る。他のＵＥを対象とするこのようなＳＳブロックがダウンリンク送信３２０−ｄと時間的に重複し得るが、ダウンリンク送信３２０−ｄは、依然としてＢＷＰ属性３１０に関連付けられ得る（たとえば、したがって、ダウンリンク送信３２０−ｃに適用される例３００−ｂの技法は、ダウンリンク送信３２０−ｃとダウンリンク送信３２０−ｄの両方を受信するＵＥが他のＵＥを対象とするＳＳブロックをモニタしていないことがあるので、ダウンリンク送信３２０−ｄに適用され得ない）。一例では、例３００−ｂを参照して説明される技法は、ＵＥが、ＴＤＭ混合ヌメロロジおよびＦＤＭをサポートするが、混合ヌメロロジでＦＤＭをサポートしないことを（たとえば、能力メッセージを介して）示すときに選ばれ得る。さらに、例３００−ｂでは、ＦＤＭ混合ヌメロロジがサポートされ得ないが、（たとえば、単一のダウンリンクパケット内（たとえば、ダウンリンク送信３２０−ｃ内）の）ＴＤＭ混合ヌメロロジは、利用され得る。いくつかのＵＥは、能力が制限されていることがあり、ＴＤＭ混合ヌメロロジを受信することができないことがあることに留意されたい。図３Ｂのスキームが使用されるとき、このようなＵＥは、ＳＳブロックと部分的にのみ重複するデータ送信を示す任意の許可を拒絶するが、ＳＳブロックと完全に重複するか、またはＳＳブロックと完全に重複しないデータ送信を示す許可を受け入れる。上で説明したように、このコンテキストにおけるＳＳブロックは、ＵＥが受信またはモニタすることが予想されるＳＳブロックのみを指す。
【００９２】
[0101]図３Ｃは、ダウンリンク送信３２０−ｅが（たとえば、基地局１０５または基地局１０５からの許可を介して）ＢＷＰ３２５−ｃ内でスケジュールされる例３００−ｃを示す。ダウンリンク送信３２０−ｅは、時間リソースのセット３３０−ｃのためのＳＳブロック３１５−ｄとＦＤＭされる。いくつかのケースでは、時間リソースのセット３３０−ｂは、ＦＤＭ持続時間と呼ばれ得る。例３００−ｃに示される技法によれば、時間リソースのセット３３０−ｃに関連付けられるダウンリンク送信３２０−ｅの部分（たとえば、ＦＤＭ部分）、ならびに残りの部分（たとえば、ＳＳブロック３１５−ｄと重複しないダウンリンク送信３２０−ｅの残りのリソース）は、ＢＷＰ属性３１０に関連付けられ得る。例３００−ｃに示される技法は、ＦＤＭ領域がＳＳ属性３０５およびＢＷＰ属性３１０の両方に関連付けられ得るので、ＦＤＭ領域（たとえば、時間リソースのセット３３０−ｃ）に関連付けられた混合ヌメロロジをもたらし得る。さらに、後続のダウンリンク送信３２０−ｆはまた、（たとえば、ダウンリンク送信３２０−ｅに続く時間で）ＢＷＰ３２５−ｃにおいてスケジュールされ得る。図３Ｃに例示されるように、ダウンリンク送信３２０−ｆは、ＳＳブロック３１５−ｄに関して、組み合わされたＴＤＭおよびＦＤＭスキームに従い得る。
【００９３】
[0102]図３Ｃはまた、ダウンリンク送信３２０−ｅまたは３２０−ｆを受信するＵＥを対象としない、存在し得る（たとえば、サービング基地局によって送られる）ＳＳブロック（破線）を示す。上で説明したように、関連するＵＥに向けられていないこのようなＳＳブロックは、ＦＤＭシナリオにも、ＵＥに向けられたダウンリンク送信３２０のための送信属性選択にも寄与しない。一例では、例３００−ｃを参照して説明される技法は、ＵＥが混合ヌメロロジでＦＤＭをサポートすることを（たとえば、能力メッセージを介して）示すときに選ばれ得る。いくつかのケースでは、基地局はまた、ＦＤＭされた混合ヌメロロジの間に十分なガードバンドを保証し得る（たとえば、ガードバンドは、混合ビーム方向のＦＤＭの間ではなく、混合ＳＣＳ送信のＦＤＭのために挿入され得る、等）。
【００９４】
[0103]図４は、本開示の態様による、混合属性を持つＢＷＰ送信のためのＦＤＭをサポートするワイヤレスデバイス４０５のブロック図４００を示す。ワイヤレスデバイス４０５は、本願明細書で説明されたようなＵＥ１１５の態様の例であり得る。ワイヤレスデバイス４０５は、受信機４１０、ＵＥ通信マネージャ４１５、および送信機４２０を含み得る。ワイヤレスデバイス４０５はまた、プロセッサを含み得る。これらのコンポーネントの各々は、（例えば、１つまたは複数のバスを介して）互いと通信状態にあり得る。
【００９５】
[0104]受信機４１０は、パケット、ユーザデータ、または様々な情報チャネルに関連付けられた制御情報（たとえば、制御チャネル、データチャネル、および混合属性を持つＢＷＰ送信のためのＦＤＭに関係する情報、等）のような情報を受信し得る。情報は、デバイスの他のコンポーネントに渡され得る。受信機４１０は、図７を参照して説明されるトランシーバ７３５の態様の例であり得る。受信機４１０は、単一のアンテナを利用し得るか、またはそれは、アンテナのセットを利用し得る。
【００９６】
[0105]ＵＥ通信マネージャ４１５は、図７を参照して説明されるＵＥ通信マネージャ７１５の態様の例であり得る。ＵＥ通信マネージャ４１５および／またはその様々なサブコンポーネントのうちの少なくともいくつかは、ハードウェア、プロセッサによって実行されるソフトウェア、ファームウェア、またはそれらの任意の組み合わせにおいてインプリメントされ得る。プロセッサによって実行されるソフトウェアでインプリメントされる場合、通信マネージャ４１５またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。ＵＥ通信マネージャ４１５および／またはその様々なサブコンポーネントのうちの少なくともいくつかは、機能の一部分が１つまたは複数の物理的デバイスによって異なる物理的ロケーションにおいてインプリメントされるように分散されることを含め、様々な位置に物理的にロケートされ得る。いくつかの例では、ＵＥ通信マネージャ４１５および／またはその様々なサブコンポーネントのうちの少なくともいくつかは、本開示の様々な態様したがった、別個のおよび異なるコンポーネントであり得る。他の例では、通信マネージャ４１５またはその様々なサブコンポーネントのうちの少なくともいくつかは、本開示の様々な態様に従って、それに限定されるものではないが、Ｉ／Ｏコンポーネント、トランシーバ、ネットワークサーバ、別のコンピューティングデバイス、本開示で説明される１つまたは複数の他のコンポーネント、またはこれらの組み合わせを含む、１つまたは複数の他のハードウェアコンポーネントと組み合わされ得る。
【００９７】
[0106]第１の例では、ＵＥ通信マネージャ４１５は、キャリアのＢＷＰのための構成を識別し得る。構成は、ＢＷＰ内の送信のための送信属性のための第１の値を含み得る。ＵＥ通信マネージャ４１５は、ダウンリンク送信のための許可を受信し得る。いくつかのケースでは、ダウンリンク送信は、キャリアのためのＳＳブロックと時間的に重複しているＢＷＰ中のリソースのセットのためにスケジュールされ得る。ＳＳブロックは、送信属性のための第２の値を使用して送信され得る。ＵＥ通信マネージャ４１５は、次いで、ダウンリンク送信を受信し得、ここで、受信することは、リソースのセットの少なくとも一部のための送信属性のための第２の値を適用することを含む。
【００９８】
[0107]第２の例では、ＵＥ通信マネージャ４１５は、キャリアのための同期信号ブロックを受信し、同期信号ブロックは、同期信号ブロック送信属性に関連付けられ、キャリアのＢＷＰ内の送信のための１つまたは複数のＢＷＰ送信属性を識別し、同期信号ブロック送信属性および１つまたは複数のＢＷＰ送信属性に基づいて、キャリアのＢＷＰにわたって送信を受信し得る、ここで、送信は、時分割多重化スキームおよび周波数分割多重化スキームを含む複数のあらかじめ定義された多重化スキームから選択されたパターンに従って、同期信号ブロックと多重化され得る。
【００９９】
[0108]送信機４２０は、デバイスの他のコンポーネントによって生成される信号を送信し得る。いくつかの例では、送信機４２０は、トランシーバモジュール中で受信機４１０とコロケートされ得る。例えば、送信機４２０は、図７を参照して説明されるトランシーバ７３５の態様の例であり得る。受信機４２０は、単一のアンテナを利用し得るか、またはそれは、アンテナのセットを利用し得る。
【０１００】
[0109]図５は、本開示の態様による、混合属性を持つＢＷＰ送信のためのＦＤＭをサポートするワイヤレスデバイス５０５のブロック図５００を示す。ワイヤレスデバイス５０５は、図４を参照して説明されたワイヤレスデバイス４０５またはＵＥ１１５の態様の一例であり得る。ワイヤレスデバイス５０５は、受信機５１０、ＵＥ通信マネージャ５１５、および送信機５２０を含み得る。ワイヤレスデバイス５０５はまた、プロセッサを含み得る。これらのコンポーネントの各々は、（例えば、１つまたは複数のバスを介して）互いと通信状態にあり得る。
【０１０１】
[0110]受信機５１０は、パケット、ユーザデータ、または様々な情報チャネルに関連付けられた制御情報（たとえば、制御チャネル、データチャネル、および混合属性を持つＢＷＰ送信のためのＦＤＭに関係する情報、等）のような情報を受信し得る。情報は、デバイスの他のコンポーネントに渡され得る。受信機５１０は、図７を参照して説明されるトランシーバ７３５の態様の例であり得る。受信機５１０は、単一のアンテナを利用し得るか、またはそれは、アンテナのセットを利用し得る。
【０１０２】
[0111]ＵＥ通信マネージャ５１５は、図７を参照して説明されるＵＥ通信マネージャ７１５の態様の例であり得る。ＵＥ通信マネージャ５１５はまた、ＢＷＰマネージャ５２５と、許可マネージャ５３０と、送信属性マネージャ５３５とを含み得る。
【０１０３】
[0112]第１の例では、ＢＷＰマネージャ５２５は、キャリアのＢＷＰのための構成を識別し得、構成は、ＢＷＰ内の送信のための送信属性のための第１の値を含み得る。いくつかのケースでは、送信属性は、ＳＣＳ、受信ビーム方向、等を含み得る。
【０１０４】
[0113]第２の例では、ＢＷＰマネージャ５２５は、キャリアのための同期信号ブロックを受信し得、同期信号ブロックは、同期信号ブロック送信属性に関連付けられ、キャリアのＢＷＰ内の送信のための１つまたは複数のＢＷＰ送信属性を識別し得る。
【０１０５】
[0114]第１の例では、許可マネージャ５３０は、ダウンリンク送信のための許可を受信し得、ダウンリンク送信は、キャリアのためのＳＳブロックと時間的に重複しているＢＷＰ中のリソースのセットのためにスケジュールされ、ＳＳブロックは、送信属性のための第２の値を使用して送信される。
【０１０６】
[0115]第１の例では、送信属性マネージャ５３５は、ダウンリンク送信を受信し得、ここで、受信することは、リソースのセットの少なくとも一部のための送信属性のための第２の値を適用することを含む。いくつかのケースでは、ダウンリンク送信を受信することは、リソースのセットのすべてについて送信属性のための第２の値を適用することを含む。いくつかのケースでは、ダウンリンク送信を受信することは、ＳＳブロックと時間的に重複しないリソースのセットの第１の部分のための送信属性のための第１の値と、ＳＳブロックと時間的に重複するリソースのセットの第２の部分のための送信属性のための第２の値とを適用することを含む。
【０１０７】
[0116]第２の例では、送信属性マネージャ５３５は、同期信号ブロック送信属性および１つまたは複数のＢＷＰ送信属性に基づいて、キャリアのＢＷＰにわたって送信を受信し得、ここで、送信は、時分割多重化スキームおよび周波数分割多重化スキームを含む複数のあらかじめ定義された多重化スキームから選択されたパターンに従って同期信号ブロックと多重化され得る。
【０１０８】
[0117]送信機５２０は、デバイスの他のコンポーネントによって生成される信号を送信し得る。いくつかの例では、送信機５２０は、トランシーバモジュール中で受信機５１０とコロケートされ得る。例えば、送信機５２０は、図７を参照して説明されるトランシーバ７３５の態様の例であり得る。受信機５２０は、単一のアンテナを利用し得るか、またはそれは、アンテナのセットを利用し得る。
【０１０９】
[0118]図６は、本開示の態様による、混合属性をもつＢＷＰ送信のためのＦＤＭをサポートするＵＥ通信マネージャ６１５のブロック図６００を示す。ＵＥ通信マネージャ６１５は、図４、図５、および図７を参照して説明されるＵＥ通信マネージャ４１５、ＵＥ通信マネージャ５１５、またはＵＥ通信マネージャ７１５の態様の例であり得る。ＵＥ通信マネージャ６１５は、ＢＷＰマネージャ６２０と、許可マネージャ６２５と、送信属性マネージャ６３０とを含み得る。これらのモジュールの各々は、直接的にまたは間接的に、（例えば、１つまたは複数のバスを介して）互いに通信し得る。
【０１１０】
[0119]ＢＷＰマネージャ６２０は、キャリアのＢＷＰのための構成を識別し得、構成は、ＢＷＰ内の送信のための送信属性のための第１の値を含む。いくつかのケースでは、送信属性は、ＳＣＳを含む。いくつかのケースでは、送信属性は、送信ビーム方向または受信ビーム方向を含む。
【０１１１】
[0120]追加または代替として、ＢＷＰマネージャ６２０は、キャリアのための同期信号ブロックを受信し得、同期信号ブロックは、同期信号ブロック送信属性に関連付けられる。いくつかのケースでは、ＢＷＰマネージャ６２０は、キャリアのＢＷＰ内の送信のための１つまたは複数のＢＷＰ送信属性を識別し得る。いくつかのケースでは、同期信号ブロック送信属性は、第１のＳＣＳを含み、１つまたは複数のＢＷＰ送信属性は、第２のＳＣＳを含む。いくつかのケースでは、第１のＳＣＳおよび第２のＳＣＳは、異なる。いくつかのケースでは、１つまたは複数のＢＷＰ送信属性は、送信ビーム方向または受信ビーム方向を含む。
【０１１２】
[0121]許可マネージャ６２５は、ダウンリンク送信のための許可を受信し得、ダウンリンク送信は、キャリアのためのＳＳブロックと時間的に重複しているＢＷＰ中のリソースのセットのためにスケジュールされる。ＳＳブロックは、送信属性のための第２の値を使用して送信され得る。
【０１１３】
[0122]送信属性マネージャ６３０は、ダウンリンク送信を受信し得、ここで、受信することは、リソースのセットの少なくとも一部のための送信属性のための第２の値を適用することを含む。いくつかのケースでは、ダウンリンク送信を受信することは、リソースのセットのすべてについて送信属性のための第２の値を適用することを含む。いくつかのケースでは、ダウンリンク送信を受信することは、ＳＳブロックと時間的に重複しないリソースのセットの第１の部分のための送信属性のための第１の値と、ＳＳブロックと時間的に重複するリソースのセットの第２の部分のための送信属性のための第２の値とを適用することを含む。
【０１１４】
[0123]追加または代替として、送信属性マネージャ６３０は、同期信号ブロック送信属性および１つまたは複数のＢＷＰ送信属性に基づいて、キャリアのＢＷＰにわたって送信を受信し得、ここで、送信は、時分割多重化スキームおよび周波数分割多重化スキームを含む複数のあらかじめ定義された多重化スキームから選択されたパターンに従って同期信号ブロックと多重化され得る。いくつかのケースでは、送信は、ダウンリンク制御チャネル送信を含む。いくつかのケースでは、送信は、ダウンリンク共有チャネル送信を含む。
【０１１５】
[0124]図７は、本開示の態様による、混合属性を持つＢＷＰ送信のためのＦＤＭをサポートするデバイス７０５を含むシステム７００の図を示す。デバイス７０５は、例えば、図４および図５を参照して、上記で説明されたような、ワイヤレスデバイス４０５、ワイヤレスデバイス５０５、またはＵＥ１１５のコンポーネントを含むか、またはその例であり得る。デバイス７０５は、通信マネージャ７１５、プロセッサ７２０、メモリ７２５、ソフトウェア７３０、トランシーバ７３５、アンテナ７４０、およびＩ／Ｏコントローラ７４５を含む、通信を送信および受信するためのコンポーネントを含む双方向音声およびデータ通信のためのコンポーネントを含み得る。これらのコンポーネントは、１つまたは複数のバス（例えば、バス７１０）を介して電子通信状態にあり得る。デバイス７０５は、１つまたは複数の基地局１０５とワイヤレスに通信し得る。
【０１１６】
[0125]プロセッサ７２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかのケースでは、プロセッサ７２０は、メモリコントローラを使用してメモリアレイを動作させるように構成され得る。他のケースでは、メモリコントローラは、プロセッサ７２０に一体化され得る。プロセッサ７２０は、様々な機能（たとえば、混合属性を持つＢＷＰ送信のためのＦＤＭをサポートする機能またはタスク）を実行するためにメモリに記憶されたコンピュータ可読命令を実行するように構成され得る。
【０１１７】
[0126]メモリ７２５は、ランダムアクセスメモリ（ＲＡＭ）および読取専用メモリ（ＲＯＭ）を含み得る。メモリ７２５は、実行されると、プロセッサに、本明細書に説明された様々な機能を実行することを行わせる命令を含むコンピュータ可読、コンピュータ実行可能ソフトウェア７３０を記憶し得る。いくつかのケースでは、メモリ７２５は、中でもとりわけ、周辺コンポーネントまたはデバイスとの相互作用のような基本ハードウェアまたはソフトウェア動作を制御し得る基本入出力システム（ＢＩＯＳ）を包含し得る。
【０１１８】
[0127]ソフトウェア７３０は、混合属性をもつＢＷＰ送信のためのＦＤＭをサポートするためのコードを含む、本開示の態様をインプリメントするためのコードを含み得る。ソフトウェア７３０は、システムメモリまたは他のメモリのような非一時的コンピュータ可読媒体中に記憶され得る。いくつかのケースでは、ソフトウェア７３０は、プロセッサによって直接実行可能ではないことがあり得るが、（例えば、コンパイルおよび実行されたときに）コンピュータに、本明細書に説明された機能を実行することを行わせ得る。
【０１１９】
[0128]トランシーバ７３５は、上記で説明されたように、１つまたは複数のアンテナ、ワイヤードまたはワイヤレスリンクを介して双方向に通信し得る。例えば、トランシーバ７３５は、ワイヤレストランシーバを表し、別のワイヤレストランシーバと双方向に通信し得る。トランシーバ７３５はまた、パケットを変調し、変調されたパケットを送信のためにアンテナに提供し、アンテナから受信されたパケットを復調するためのモデムを含み得る。
【０１２０】
[0129]いくつかのケースでは、ワイヤレスデバイスは、単一のアンテナ７４０を含み得る。しかしながら、いくつかのケースでは、デバイスは、１つよりも多くのアンテナ７４０を有し得、それらは、複数のワイヤレス送信を同時に送信または受信することが可能であり得る。
【０１２１】
[0130]Ｉ／Ｏコントローラ７４５は、デバイス７０５のための入力および出力信号を管理し得る。Ｉ／Ｏコントローラ７４５はまた、デバイス７０５に一体化されていない周辺機器を管理し得る。いくつかのケースでは、Ｉ／Ｏコントローラ７４５は、外部周辺機器への物理的接続またはポートを表し得る。いくつかのケースでは、Ｉ／Ｏコントローラ７４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他のケースでは、Ｉ／Ｏコントローラ７４５は、モデム、キーボード、マウス、タッチスクリーン、または同様のデバイスを表わす、またはこれらとインタラクトし得る。いくつかのケースでは、Ｉ／Ｏコントローラ７４５は、プロセッサの一部としてインプリメントされ得る。いくつかのケースでは、ユーザは、Ｉ／Ｏコントローラ７４５を介してまたはＩ／Ｏコントローラ７４５によって制御されるハードウェアコンポーネントを介してデバイス７０５とインタラクトし得る。
【０１２２】
[0131]図８は、本開示の態様による、混合属性を持つＢＷＰ送信のためのＦＤＭをサポートするワイヤレスデバイス８０５のブロック図８００を示す。ワイヤレスデバイス８０５は、本明細書で説明されたような基地局１０５の態様の例であり得る。ワイヤレスデバイス８０５は、受信機８１０、基地局通信マネージャ８１５、および送信機８２０を含み得る。ワイヤレスデバイス８０５はまた、プロセッサを含み得る。これらのコンポーネントの各々は、（例えば、１つまたは複数のバスを介して）互いと通信状態にあり得る。
【０１２３】
[0132]受信機８１０は、パケット、ユーザデータ、または様々な情報チャネルに関連付けられた制御情報（たとえば、制御チャネル、データチャネル、および混合属性を持つＢＷＰ送信のためのＦＤＭに関係する情報、等）のような情報を受信し得る。情報は、デバイスの他のコンポーネントに渡され得る。受信機８１０は、図１１を参照して説明されるトランシーバ１１３５の態様の例であり得る。受信機８１０は、単一のアンテナを利用し得るか、またはそれは、アンテナのセットを利用し得る。
【０１２４】
[0133]基地局通信マネージャ８１５は、図１１を参照して説明される基地局通信マネージャ１１１５の態様の例であり得る。基地局通信マネージャ８１５および／またはその様々なサブコンポーネントのうちの少なくともいくつかは、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、基地局通信マネージャ８１５および／またはその様々なサブコンポーネントのうちの少なくともいくつかの機能は、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本開示に説明される機能を遂行するように設計されたそれらの任意の組み合わせによって実行され得る。基地局通信マネージャ８１５および／またはその様々なサブコンポーネントのうちの少なくともいくつかは、機能の一部分が１つまたは複数の物理的デバイスによって異なる物理的ロケーションにおいてインプリメントされるように分散されることを含め、様々な位置に物理的にロケートされ得る。いくつかの例では、基地局通信マネージャ８１５および／またはその様々なサブコンポーネントのうちの少なくともいくつかは、本開示の様々な態様したがった、別個のおよび異なるコンポーネントであり得る。他の例では、基地局通信マネージャ８１５および／またはその様々なサブコンポーネントのうちの少なくともいくつかは、本開示の様々な態様にしたがって、Ｉ／Ｏコンポーネント、トランシーバ、ネットワークサーバ、別のコンピューティングデバイス、本開示に説明される１つまたは複数の他のコンポーネント、またはそれらの組み合わせを含むがそれらに限定されない、１つまたは複数の他のハードウェアコンポーネントと組み合わされ得る。
【０１２５】
[0134]基地局通信マネージャ８１５は、キャリアのＢＷＰのための構成を識別し得、構成は、ＢＷＰ内の送信のための送信属性のための第１の値を含み得る。基地局通信マネージャ８１５は、ＢＷＰにおける第１のダウンリンク送信のための許可を第１のＵＥに送信し得る。いくつかのケースでは、第１のダウンリンク送信は、キャリアのためのＳＳブロックと時間的に重複しているリソースの第１のセットのためにスケジュールされ得る（たとえば、ＳＳブロックは、送信属性のための第２の値を使用して送信され得る）。基地局通信マネージャ８１５は、次いで、第１のダウンリンク送信を送信し得、ここで、送信することは、リソースの第１のセットの少なくとも一部のための送信属性のための第２の値を適用することを含む。
【０１２６】
[0135]基地局通信マネージャ８１５は、キャリアのＢＷＰのための構成を識別し得、構成は、ＢＷＰ内の送信のための送信属性のための第１の値を含み得る。基地局通信マネージャ８１５は、ＢＷＰにおける第１のダウンリンク送信のための許可を第１のＵＥに送信し得、第１のダウンリンク送信は、キャリアのためのＳＳブロックと時間的に重複しているリソースの第１のセットのためにスケジュールされる（たとえば、ＳＳブロックは、送信属性のための第２の値を使用して送信される）。基地局通信マネージャ８１５は、次いで、第１のダウンリンク送信を送信し得、ここで、送信することは、リソースの第１のセットのための送信属性のための第１の値を適用することと、第１のダウンリンク送信とＳＳブロックとの間の周波数領域にガードバンドを挿入することとを含む。
【０１２７】
[0136]追加または代替として、基地局通信マネージャ８１５は、ＵＥに、キャリアのための同期信号ブロックを送信し得、同期信号ブロックは、同期信号ブロック送信属性に関連付けられ、キャリアのＢＷＰ内の送信のための１つまたは複数のＢＷＰ送信属性を構成し得る。基地局通信マネージャ８１５は、同期信号ブロック送信属性および１つまたは複数のＢＷＰ送信属性に基づいて、キャリアのＢＷＰにわたって送信をＵＥに送信し得、送信は、時分割多重化スキームおよび周波数分割多重化スキームを含む複数のあらかじめ定義された多重化スキームから選択されたパターンに従って同期信号ブロックと多重化され得る。
【０１２８】
[0137]さらなる追加または代替として、基地局通信マネージャ８１５はまた、ＵＥに、キャリアのための同期信号ブロックを送信し得、同期信号ブロックは、同期信号ブロック送信属性に関連付けられ、キャリアのＢＷＰ内の送信のための１つまたは複数のＢＷＰ送信属性を構成し得る。基地局通信マネージャ８１５は、同期信号ブロック送信属性および１つまたは複数のＢＷＰ送信属性に基づいて、キャリアのＢＷＰをにわたってダウンリンク送信をＵＥに送信し得、ダウンリンク送信は、時分割多重化スキームおよび周波数分割多重化スキームを含む複数のあらかじめ定義された多重化スキームから選択されたパターンに従って同期信号ブロックと多重化され、パターンは、ダウンリンク送信と同期信号ブロックとの間の周波数領域に挿入されたガードバンドを含む。
【０１２９】
[0138]送信機８２０は、デバイスの他のコンポーネントによって生成される信号を送信し得る。いくつかの例では、送信機８２０は、トランシーバモジュール中で受信機８１０とコロケートされ得る。例えば、送信機８２０は、図１１を参照して説明されるトランシーバ１１３５の態様の例であり得る。受信機８２０は、単一のアンテナを利用し得るか、またはそれは、アンテナのセットを利用し得る。
【０１３０】
[0139]図９は、本開示の態様による、混合属性を持つＢＷＰ送信のためのＦＤＭをサポートするワイヤレスデバイス９０５のブロック図９００を示す。ワイヤレスデバイス９０５は、図７を参照して説明されたようなワイヤレスデバイス８０５または基地局１０５の態様の一例であり得る。ワイヤレスデバイス９０５は、受信機９１０、基地局通信マネージャ９１５、および送信機９２０を含み得る。ワイヤレスデバイス９０５はまた、プロセッサを含み得る。これらのコンポーネントの各々は、（例えば、１つまたは複数のバスを介して）互いと通信状態にあり得る。
【０１３１】
[0140]受信機９１０は、パケット、ユーザデータ、または様々な情報チャネルに関連付けられた制御情報（たとえば、制御チャネル、データチャネル、および混合属性を持つＢＷＰ送信のためのＦＤＭに関係する情報、等）のような情報を受信し得る。情報は、デバイスの他のコンポーネントに渡され得る。受信機９１０は、図１１を参照して説明されるトランシーバ１１３５の態様の例であり得る。受信機９１０は、単一のアンテナを利用し得るか、またはそれは、アンテナのセットを利用し得る。
【０１３２】
[0141]基地局通信マネージャ９１５は、図１１を参照して説明される基地局通信マネージャ１１１５の態様の例であり得る。基地局通信マネージャ９１５はまた、ＢＷＰマネージャ９２５と、許可マネージャ９３０と、ダウンリンク送信マネージャ９３５と、送信属性マネージャ９４０とを含み得る。
【０１３３】
[0142]第１の例では、ＢＷＰマネージャ９２５は、キャリアのＢＷＰのための構成を識別し得、構成は、ＢＷＰ内の送信のための送信属性のための第１の値を含む。
【０１３４】
[0143]第２の例では、ＢＷＰマネージャ９２５は、キャリアのための同期信号ブロックを送信し得、同期信号ブロックは、同期信号ブロック送信属性に関連付けられ、キャリアのＢＷＰ内の送信のための１つまたは複数のＢＷＰ送信属性を構成する。
【０１３５】
[0144]第３の例では、ＢＷＰマネージャ９２５は、ＵＥに、キャリアのための同期信号ブロックを同様に送信し得、同期信号ブロックは、同期信号ブロック送信属性に関連付けられ、キャリアのＢＷＰ内の送信のための１つまたは複数のＢＷＰ送信属性を構成する。
【０１３６】
[0145]第１の例では、許可マネージャ９３０は、ＢＷＰにおける第１のダウンリンク送信のための許可を第１のＵＥに送信し得、第１のダウンリンク送信は、キャリアのためのＳＳブロックと時間的に重複しているリソースの第１のセットのためにスケジュールされ、ＳＳブロックは、送信属性のための第２の値を使用して送信される。
【０１３７】
[0146]第１の例では、ダウンリンク送信マネージャ９３５は、第１のダウンリンク送信を送信し得、ここで、送信することは、リソースの第１のセットの少なくとも一部のための送信属性のための第２の値を適用することを含む。
【０１３８】
[0147]第２の例では、ダウンリンク送信マネージャ９３５は、同期信号ブロック送信属性および１つまたは複数のＢＷＰ送信属性に基づいて、キャリアのＢＷＰにわたって送信をＵＥに送信し得、ここで、送信は、時分割多重化スキームおよび周波数分割多重化スキームを含む複数のあらかじめ定義された多重化スキームから選択されたパターンに従って同期信号ブロックと多重化され得る。
【０１３９】
[0148]第３の例では、基地局送信マネージャ９３５は、同期信号ブロック送信属性および１つまたは複数のＢＷＰ送信属性に基づいて、キャリアのＢＷＰをにわたってダウンリンク送信をＵＥに送信し得、ダウンリンク送信は、時分割多重化スキームおよび周波数分割多重化スキームを含む複数のあらかじめ定義された多重化スキームから選択されたパターンに従って同期信号ブロックと多重化され、パターンは、ダウンリンク送信と同期信号ブロックとの間の周波数領域に挿入されたガードバンドを含む。
【０１４０】
[0149]第１の例では、送信属性マネージャ９４０は、第２のダウンリンク送信を第２のＵＥに送信し得、第２のダウンリンク送信は、第１のダウンリンク送信と時間的に重複し、ＳＳブロックと時間的に重複せず、第２のダウンリンク送信を送信することは、第１のダウンリンク送信と第２のダウンリンク送信との間に周波数領域中にガードバンドを挿入し、第１のダウンリンク送信を送信することを含む。いくつかのケースでは、送信することは、リソースの第１のセットのための送信属性のための第１の値を適用することと、第１のダウンリンク送信とＳＳブロックとの間の周波数領域にガードバンドを挿入することとを含む。いくつかのケースでは、第１のダウンリンク送信を送信することは、リソースの第１のセットのすべてについて送信属性のための第２の値を適用することを含む。いくつかのケースでは、ダウンリンク送信を送信することは、ＳＳブロックと時間的に重複しないリソースの第１のセットの第１の部分のための送信属性のための第１の値と、ＳＳブロックと時間的に重複するリソースの第１のセットの第２の部分のための送信属性のための第２の値とを適用することを含む。いくつかのケースでは、送信属性は、ＳＣＳを含む。いくつかのケースでは、送信属性は、送信ビーム方向または受信ビーム方向を含む。いくつかのケースでは、リソースの第１のセットのための送信属性のための第１の値を適用する第１のダウンリンク送信を送信することは、送信属性のための第１および第２の値の周波数分割多重化のためのサポートを示す第１のＵＥから受信された能力メッセージに基づく。いくつかのケースでは、送信属性は、ＳＣＳを含む。いくつかのケースでは、送信属性は、送信ビーム方向または受信ビーム方向を含む。
【０１４１】
[0150]送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１１を参照して説明されるトランシーバ１１３５の態様の例であり得る。受信機９２０は、単一のアンテナを利用し得るか、またはそれは、アンテナのセットを利用し得る。
【０１４２】
[0151]図１０は、本開示の態様による、混合属性を持つＢＷＰ送信のためのＦＤＭをサポートする基地局通信マネージャ１０１５のブロック図１０００を示す。基地局通信マネージャ１０１５は、図８、９、および１１を参照して説明される基地局通信マネージャ１１１５の態様の例であり得る。基地局通信マネージャ１０１５は、ＢＷＰマネージャ１０２０と、許可マネージャ１０２５と、ダウンリンク送信マネージャ１０３０と、送信属性マネージャ１０３５とを含み得る。これらのモジュールの各々は、直接的にまたは間接的に、（例えば、１つまたは複数のバスを介して）互いに通信し得る。
【０１４３】
[0152]いくつかの場合には、ＢＷＰマネージャ１０２０は、キャリアのＢＷＰのための構成を識別し得、構成は、ＢＷＰ内の送信のための送信属性のための第１の値を含む。
【０１４４】
[0153]追加または代替として、ＢＷＰマネージャ１０２０は、ＵＥに、キャリアのための同期信号ブロックを送信し得、同期信号ブロックは、同期信号ブロック送信属性に関連付けられる。いくつかの例では、ＢＷＰマネージャ１０２０は、キャリアのＢＷＰ内の送信のための１つまたは複数のＢＷＰ送信属性を構成し得る。いくつかのケースでは、同期信号ブロック送信属性は、第１のＳＣＳを含み、１つまたは複数のＢＷＰ送信属性は、第２のＳＣＳを含む。いくつかのケースでは、第１のＳＣＳおよび第２のＳＣＳは、異なる。いくつかのケースでは、１つまたは複数のＢＷＰ送信属性は、送信ビーム方向または受信ビーム方向を含む。
【０１４５】
[0154]許可マネージャ１０２５は、ＢＷＰにおける第１のダウンリンク送信のための許可を第１のＵＥに送信し得、第１のダウンリンク送信は、キャリアのためのＳＳブロックと時間的に重複しているリソースの第１のセットのためにスケジュールされ、ＳＳブロックは、送信属性のための第２の値を使用して送信される。
【０１４６】
[0155]ダウンリンク送信マネージャ１０３０は、第１のダウンリンク送信を送信し得、ここで、送信することは、リソースの第１のセットの少なくとも一部のための送信属性のための第２の値を適用することを含む。
【０１４７】
[0156]追加または代替として、基地局送信マネージャ１０３０は、同期信号ブロック送信属性および１つまたは複数のＢＷＰ送信属性に基づいて、キャリアのＢＷＰをにわたってダウンリンク送信をＵＥに送信し得、ダウンリンク送信は、時分割多重化スキームおよび周波数分割多重化スキームを含む複数のあらかじめ定義された多重化スキームから選択されたパターンに従って同期信号ブロックと多重化され、パターンは、ダウンリンク送信と同期信号ブロックとの間の周波数領域に挿入されたガードバンドを含む。
【０１４８】
[0157]送信属性マネージャ１０３５は、第１のダウンリンク送信を送信し得、ここで、送信することは、リソースの第１のセットのための送信属性のための第１の値を適用することと、第１のダウンリンク送信とＳＳブロックとの間の周波数領域にガードバンドを挿入することとを含む。いくつかのケースでは、第１のダウンリンク送信を送信することは、リソースの第１のセットのすべてについて送信属性のための第２の値を適用することを含む。いくつかのケースでは、ダウンリンク送信を送信することは、ＳＳブロックと時間的に重複しないリソースの第１のセットの第１の部分のための送信属性のための第１の値と、ＳＳブロックと時間的に重複するリソースの第１のセットの第２の部分のための送信属性のための第２の値とを適用することを含む。いくつかのケースでは、送信属性は、ＳＣＳを含む。いくつかのケースでは、送信属性は、送信ビーム方向または受信ビーム方向を含む。いくつかのケースでは、リソースの第１のセットのための送信属性のための第１の値を適用する第１のダウンリンク送信を送信することは、送信属性のための第１および第２の値のＦＤＭのためのサポートを示す第１のＵＥから受信された能力メッセージに基づく。いくつかの例では、送信属性マネージャ１０３５は、第２のダウンリンク送信を第２のＵＥに送信し得、第２のダウンリンク送信は、第１のダウンリンク送信と時間的に重複し、ＳＳブロックと時間的に重複しない。第２のダウンリンク送信を送信することは、第１のダウンリンク送信と第２のダウンリンク送信との間の周波数領域にガードバンドを挿入することを含み得る。
【０１４９】
[0158]追加または代替として、送信属性マネージャ１０３５は、第２のＵＥに第２の送信を送信し得、第２の送信は、送信と時間的に重複し、同期信号ブロックと時間的に重複せず、第２の送信を送信することは、送信と第２の送信との間に周波数領域中にガードバンドを挿入することを含み得る。
【０１５０】
[0159]図１１は、本開示の態様による、混合属性を持つＢＷＰ送信のためのＦＤＭをサポートするデバイス１１０５を含むシステム１１００の図を示す。デバイス１１０５は、例えば、図１を参照して上述されたような基地局１０５のコンポーネントの例であり得るか、またはそれらを含み得る。デバイス１１０５は、基地局通信マネージャ１１１５、プロセッサ１１２０、メモリ１１２５、ソフトウェア１１３０、トランシーバ１１３５、アンテナ１１４０、ネットワーク通信マネージャ１１４５、および局間通信マネージャ１１５０を含む、通信を送信および受信するためのコンポーネントを含む双方向音声およびデータ通信のためのコンポーネントを含み得る。これらのコンポーネントは、１つまたは複数のバス（例えば、バス１１１０）を介して電子通信状態にあり得る。デバイス１１０５は、１つまたは複数のＵＥ１１５とワイヤレスに通信し得る。
【０１５１】
[0160]プロセッサ１１２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはそれらの任意の組み合わせ）を含み得る。いくつかのケースでは、プロセッサ１１２０は、メモリコントローラを使用してメモリアレイを動作させるように構成され得る。他のケースでは、メモリコントローラは、プロセッサ１１２０に一体化され得る。プロセッサ１１２０は、様々な機能（たとえば、混合属性を持つＢＷＰ送信のためのＦＤＭをサポートする機能またはタスク）を実行するためにメモリに記憶されたコンピュータ可読命令を実行するように構成され得る。
【０１５２】
[0161]メモリ１１２５は、ＲＡＭおよびＲＯＭを含み得る。メモリ１１２５は、実行されると、プロセッサに、本明細書に説明された様々な機能を実行することを行わせる命令を含むコンピュータ可読、コンピュータ実行可能ソフトウェア１１３０を記憶し得る。いくつかのケースでは、メモリ１１２５は、なかでもとりわけ、周辺コンポーネントまたはデバイスとの対話のような基本ハードウェアまたはソフトウェア動作を制御し得るＢＩＯＳを包含し得る。
【０１５３】
[0162]ソフトウェア１１３０は、混合属性をもつＢＷＰ送信のためのＦＤＭをサポートするためのコードを含む、本開示の態様をインプリメントするためのコードを含み得る。ソフトウェア１１３０は、システムメモリまたは他のメモリのような非一時的コンピュータ可読媒体中に記憶され得る。いくつかのケースでは、ソフトウェア１１３０は、プロセッサによって直接実行可能ではないことがあり得るが、（例えば、コンパイルおよび実行されたときに）コンピュータに、本明細書に説明された機能を実行することを行わせ得る。
【０１５４】
[0163]トランシーバ１１３５は、上記で説明されたように、１つまたは複数のアンテナ、ワイヤードまたはワイヤレスリンクを介して双方向に通信し得る。例えば、トランシーバ１１３５は、ワイヤレストランシーバを表し、別のワイヤレストランシーバと双方向に通信し得る。トランシーバ１１３５はまた、パケットを変調し、変調されたパケットを送信のためにアンテナに提供し、アンテナから受信されたパケットを復調するためのモデムを含み得る。
【０１５５】
[0164]いくつかのケースでは、ワイヤレスデバイスは、単一のアンテナ１１４０を含み得る。しかしながら、いくつかのケースでは、デバイスは、１つよりも多くのアンテナ１１４０を有し得、それらは、複数のワイヤレス送信を同時に送信または受信することが可能であり得る。
【０１５６】
[0165]ネットワーク通信マネージャ１１４５は、（例えば、１つまたは複数のワイヤードバックホールリンクを介して）コアネットワークとの通信を管理し得る。例えば、ネットワーク通信マネージャ１１４５は、１つまたは複数のＵＥ１１５などの、クライアントデバイスのためのデータ通信の転送を管理し得る。
【０１５７】
[0166]局間通信マネージャ１１５０は、他の基地局１０５との通信を管理し得、および他の基地局１０５と連携してＵＥ１１５との通信を制御するためのコントローラまたはスケジューラを含み得る。例えば、局間通信マネージャ１１５０は、ビームフォーミングまたはジョイント送信のような様々な干渉緩和技法のために、ＵＥ１１５への送信のためのスケジューリングを調整し得る。いくつかの例では、局間通信マネージャ１１５０は、基地局１０５間での通信を提供するために、ＬＴＥ／ＬＴＥ−Ａ、またはＮＲワイヤレス通信ネットワーク技術内のＸ２またはＸＮインターフェースを提供し得る。
【０１５８】
[0167]図１２は、本開示の態様による、混合属性を持つＢＷＰ送信のためのＦＤＭのための方法１２００を例示するフローチャートを示す。方法１２００の動作は、本明細書で説明されたように、ＵＥ１１５またはそのコンポーネントによってインプリメントされ得る。例えば、方法１２００の動作は、図４〜図７を参照して説明されたように、ＵＥ通信マネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１５９】
[0168]１２０５で、ＵＥは、キャリアのＢＷＰのための構成を識別し得、構成は、ＢＷＰ内の送信のための送信属性のための第１の値を含む。いくつかのケースでは、送信属性は、ＳＣＳ、送信ビーム方向、および／または受信ビーム方向を含み得る。１２０５の動作は、本明細書で説明された方法に従って実行され得る。いくつかの例では、１２０５の動作の態様は、図４〜図７を参照して説明したようなＢＷＰマネージャによって実行され得る。
【０１６０】
[0169]１２１０で、ＵＥは、ダウンリンク送信のための許可を受信し得、ダウンリンク送信は、キャリアのためのＳＳブロックと時間的に重複しているＢＷＰ中のリソースのセットのためにスケジュールされ、ＳＳブロックは、送信属性のための第２の値を使用して送信される。１２１０の動作は、本明細書で説明された方法に従って実行され得る。いくつかの例では、１２１０の動作の態様は、図４〜図７を参照して説明したような許可マネージャによって実行され得る。
【０１６１】
[0170]１２１５で、ＵＥは、ダウンリンク送信を受信し得、ここで、受信することは、リソースのセットの少なくとも一部のための送信属性のための第２の値を適用することを含む。いくつかのケースでは、１２１５で、ＵＥは、リソースのセットのすべてのための送信属性のための第２の値を適用し得る。他のケースでは、１２１５で、ＵＥは、同期信号ブロックと時間的に重複しないリソースのセットの第１の部分のための送信属性のための第１の値と、同期信号ブロックと時間的に重複するリソースのセットの第２の部分のための送信属性のための第２の値とを適用し得る。１２１５の動作は、本明細書で説明された方法に従って実行され得る。ある特定の例では、１２１５の動作の態様は、図４〜図７を参照して説明したような送信属性マネージャによって実行され得る。
【０１６２】
[0171]図１３は、本開示の態様による、混合属性を持つＢＷＰ送信のためのＦＤＭのための方法１３００を例示するフローチャートを示す。方法１３００の動作は、本明細書で説明されたような基地局１０５またはそのコンポーネントによってインプリメントされ得る。例えば、方法１３００の動作は、図８〜１１を参照して説明されたような基地局通信マネージャによって実行され得る。いくつかの例では、基地局１０５は、以下に説明される機能を実行するために、デバイスの機能的な要素を制御するためのコードのセットを実行し得る。追加または代替として、ソースデバイス１０５は、特殊用途ハードウェアを使用して、以下に説明される機能の態様を遂行し得る。
【０１６３】
[0172]１３０５で、基地局は、キャリアのＢＷＰのための構成を識別し得、構成は、ＢＷＰ内の送信のための送信属性のための第１の値を含む。いくつかのケースでは、送信属性は、ＳＣＳ、送信ビーム方向、および／または受信ビーム方向を含み得る。１３０５の動作は、本明細書で説明された方法に従って実行され得る。いくつかの例では、１３０５の動作の態様は、図８〜図１１を参照して説明したようなＢＷＰマネージャによって実行され得る。
【０１６４】
[0173]１３１０で、基地局は、ＢＷＰにおける第１のダウンリンク送信のための許可を第１のＵＥに送信し得、第１のダウンリンク送信は、キャリアのためのＳＳブロックと時間的に重複しているリソースの第１のセットのためにスケジュールされ、ＳＳブロックは、送信属性のための第２の値を使用して送信される。１３１０の動作は、本明細書で説明された方法に従って実行され得る。いくつかの例では、１３１０の動作の態様は、図８〜図１１を参照して説明したような許可マネージャによって実行され得る。
【０１６５】
[0174]１３１５で、基地局は、第１のダウンリンク送信を送信し得、ここで、送信することは、リソースの第１のセットの少なくとも一部のための送信属性のための第２の値を適用することを含む。いくつかの例では、１３１５で、基地局は、リソースの第１のセットのすべてについて送信属性のための第２の値を適用し得る。いくつかの例では、１３１５で、基地局は、同期信号ブロックと時間的に重複しないリソースの第１のセットの第１の部分のための送信属性のための第１の値と、同期信号ブロックと時間的に重複するリソースの第１のセットの第２の部分のための送信属性のための第２の値とを適用し得る。１３１５の動作は、本明細書で説明された方法に従って実行され得る。ある特定の例では、１３１５の動作の態様は、図８〜図１１を参照して説明したようなダウンリンク送信マネージャによって実行され得る。
【０１６６】
[0175]図１４は、本開示の態様による、混合属性を持つＢＷＰ送信のためのＦＤＭのための方法１４００を例示するフローチャートを示す。方法１４００の動作は、本明細書で説明されたような基地局１０５またはそのコンポーネントによってインプリメントされ得る。例えば、方法１４００の動作は、図８〜１１を参照して説明されたような基地局通信マネージャによって実行され得る。いくつかの例では、基地局１０５は、以下に説明される機能を実行するために、デバイスの機能的な要素を制御するためのコードのセットを実行し得る。追加または代替として、ソースデバイス１０５は、特殊用途ハードウェアを使用して、以下に説明される機能の態様を遂行し得る。
【０１６７】
[0176]１４０５で、基地局は、キャリアのＢＷＰのための構成を識別し得、構成は、ＢＷＰ内の送信のための送信属性のための第１の値を含む。１４０５の動作は、本明細書で説明された方法に従って実行され得る。いくつかの例では、１４０５の動作の態様は、図８〜図１１を参照して説明したようなＢＷＰマネージャによって実行され得る。
【０１６８】
[0177]１４１０で、基地局は、ＢＷＰにおける第１のダウンリンク送信のための許可を第１のＵＥに送信し得、第１のダウンリンク送信は、キャリアのためのＳＳブロックと時間的に重複しているリソースの第１のセットのためにスケジュールされ、ＳＳブロックは、送信属性のための第２の値を使用して送信される。１４１０の動作は、本明細書で説明された方法に従って実行され得る。いくつかの例では、１４１０の動作の態様は、図８〜図１１を参照して説明したような許可マネージャによって実行され得る。
【０１６９】
[0178]１４１５で、基地局は、第１のダウンリンク送信を送信し得、ここで、送信することは、リソースの第１のセットの少なくとも一部のための送信属性のための第２の値を適用することを含む。１４１５の動作は、本明細書で説明された方法に従って実行され得る。ある特定の例では、１４１５の動作の態様は、図８〜図１１を参照して説明したようなダウンリンク送信マネージャによって実行され得る。
【０１７０】
[0179]１４２０で、基地局は、第２のダウンリンク送信を第２のＵＥに送信し得、第２のダウンリンク送信は、第１のダウンリンク送信と時間的に重複し、ＳＳブロックと時間的に重複せず、ここで、第２のダウンリンク送信を送信することは、第１のダウンリンク送信と第２のダウンリンク送信との間に周波数領域中にガードバンドを挿入することを含む。１４２０の動作は、本明細書で説明された方法に従って実行され得る。ある特定の例では、１４２０の動作の態様は、図８〜図１１を参照して説明したような送信属性マネージャによって実行され得る。
【０１７１】
[0180]いくつかのケースでは、第１のダウンリンク送信を送信することは、リソースの第１のセットのすべてについて送信属性のための第２の値を適用することを含む。
【０１７２】
[0181]図１５は、本開示の態様による、混合属性を持つＢＷＰ送信のためのＦＤＭのための方法１５００を例示するフローチャートを示す。方法１５００の動作は、本明細書で説明されたような基地局１０５またはそのコンポーネントによってインプリメントされ得る。例えば、方法１５００の動作は、図８〜１１を参照して説明されたような基地局通信マネージャによって実行され得る。いくつかの例では、基地局１０５は、以下に説明される機能を実行するために、デバイスの機能的な要素を制御するためのコードのセットを実行し得る。追加または代替として、ソースデバイス１０５は、特殊用途ハードウェアを使用して、以下に説明される機能の態様を遂行し得る。
【０１７３】
[0182]１５０５で、基地局は、キャリアのＢＷＰのための構成を識別し得、構成は、ＢＷＰ内の送信のための送信属性のための第１の値を含む。１５０５の動作は、本明細書で説明された方法に従って実行され得る。いくつかの例では、１５０５の動作の態様は、図８〜図１１を参照して説明したようなＢＷＰマネージャによって実行され得る。
【０１７４】
[0183]１５１０で、基地局は、ＢＷＰにおける第１のダウンリンク送信のための許可を第１のＵＥに送信し得、第１のダウンリンク送信は、キャリアのためのＳＳブロックと時間的に重複しているリソースの第１のセットのためにスケジュールされ、ＳＳブロックは、送信属性のための第２の値を使用して送信される。１５１０の動作は、本明細書で説明された方法に従って実行され得る。いくつかの例では、１５１０の動作の態様は、図８〜図１１を参照して説明したような許可マネージャによって実行され得る。
【０１７５】
[0184]１５１５で、基地局は、第１のダウンリンク送信を送信し得、ここで、送信することは、リソースの第１のセットのための送信属性のための第１の値を適用することと、第１のダウンリンク送信とＳＳブロックとの間の周波数領域にガードバンドを挿入することとを含む。いくつかの例では、１５１５において、基地局は、送信属性のための第１および第２の値のＦＤＭのためのサポートを示す第１のＵＥからの受信された能力メッセージに基づいて、リソースの第１のセットのための送信属性のための第１の値を適用して、第１のダウンリンク送信を送信し得る。１５１５の動作は、本明細書で説明された方法に従って実行され得る。ある特定の例では、１５１５の動作の態様は、図８〜図１１を参照して説明したような送信属性マネージャによって実行され得る。
【０１７６】
[0185]図１６は、本開示の態様による、混合属性を持つＢＷＰ送信のためのＦＤＭのための方法１６００を例示するフローチャートを示す。方法１６００の動作は、本明細書で説明されたように、ＵＥ１１５またはそのコンポーネントによってインプリメントされ得る。例えば、方法１６００の動作は、図４〜図７を参照して説明されたように、ＵＥ通信マネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１７７】
[0186]１６０５で、ＵＥは、キャリアのための同期信号ブロックを受信し得、同期信号ブロックは、同期信号ブロック送信属性に関連付けられる。一例では、同期信号ブロック送信に関連する同期信号ブロック送信属性は、ＵＥが同期信号ブロックを探索するときに暗黙的に検出される。１６０５の動作は、本明細書で説明された方法に従って実行され得る。いくつかの例では、１６０５の動作の態様は、図４〜図７を参照して説明したようなＢＷＰマネージャによって実行され得る。
【０１７８】
[0187]１６１０で、ＵＥは、キャリアのＢＷＰ内の送信のための１つまたは複数のＢＷＰ送信属性を識別し得る。ＵＥは、たとえば、送信された同期信号ブロックの一部として含まれるＰＢＣＨペイロードから、ＵＥによって決定され得るＢＷＰ構成に基づいて、１つまたは複数のＢＷＰ送信属性を識別し得る。このため、ＢＷＰ送信属性は、同期信号ブロック送信などの信号に基づいて識別され得る。１６１０の動作は、本明細書で説明された方法に従って実行され得る。いくつかの例では、１６１０の動作の態様は、図４〜図７を参照して説明したようなＢＷＰマネージャによって実行され得る。
【０１７９】
[0188]１６１５で、ＵＥは、同期信号ブロック送信属性と１つまたは複数のＢＷＰ送信属性とに基づいてキャリアのＢＷＰにわたって送信を受信し得、ここで、送信は、時分割多重化スキームと周波数分割多重化スキームとを含む複数のあらかじめ定義された多重化スキームから選択されたパターンに従って同期信号ブロックと多重化され得る。１６１５の動作は、本明細書で説明された方法に従って実行され得る。ある特定の例では、１６１５の動作の態様は、図４〜図７を参照して説明したような送信属性マネージャによって実行され得る。
【０１８０】
[0189]図１７は、本開示の態様による、混合属性を持つＢＷＰ送信のためのＦＤＭのための方法１７００を例示するフローチャートを示す。方法１７００の動作は、本明細書で説明されたような基地局１０５またはそのコンポーネントによってインプリメントされ得る。例えば、方法１７００の動作は、図８〜１１を参照して説明されたような基地局通信マネージャによって実行され得る。いくつかの例では、基地局１０５は、以下に説明される機能を実行するために、デバイスの機能的な要素を制御するためのコードのセットを実行し得る。追加または代替として、ソースデバイス１０５は、特殊用途ハードウェアを使用して、以下に説明される機能の態様を遂行し得る。
【０１８１】
[0190]１７０５で、基地局は、ＵＥに、キャリアのための同期信号ブロックを送信し得、同期信号ブロックは、同期信号ブロック送信属性に関連付けられる。１７０５の動作は、本明細書で説明された方法に従って実行され得る。いくつかの例では、１７０５の動作の態様は、図８〜図１１を参照して説明したようなＢＷＰマネージャによって実行され得る。
【０１８２】
[0191]１７１０で、基地局は、キャリアのＢＷＰ内の送信のための１つまたは複数のＢＷＰ送信属性を構成し得る。１７１０の動作は、本明細書で説明された方法に従って実行され得る。いくつかの例では、１７０５の動作の態様は、図８〜図１１を参照して説明したようなＢＷＰマネージャによって実行され得る。
【０１８３】
[0192]１７１５で、基地局は、ＵＥに、同期信号ブロック送信属性と１つまたは複数のＢＷＰ送信属性とに基づいてキャリアのＢＷＰにわたって送信を送信し得、ここで、送信は、時分割多重化スキームと周波数分割多重化スキームとを含む複数のあらかじめ定義された多重化スキームから選択されたパターンに従って同期信号ブロックと多重化され得る。１７１５の動作は、本明細書で説明された方法に従って実行され得る。ある特定の例では、１７１５の動作の態様は、図８〜図１１を参照して説明したようなダウンリンク送信マネージャによって実行され得る。
【０１８４】
[0193]図１８は、本開示の態様による、混合属性を持つＢＷＰ送信のためのＦＤＭのための方法１８００を例示するフローチャートを示す。方法１８００の動作は、本明細書で説明されたような基地局１０５またはそのコンポーネントによってインプリメントされ得る。例えば、方法１８００の動作は、図８〜１１を参照して説明されたような基地局通信マネージャによって実行され得る。いくつかの例では、基地局１０５は、以下に説明される機能を実行するために、デバイスの機能的な要素を制御するためのコードのセットを実行し得る。追加または代替として、ソースデバイス１０５は、特殊用途ハードウェアを使用して、以下に説明される機能の態様を遂行し得る。
【０１８５】
[0194]１８０５で、基地局は、ＵＥに、キャリアのための同期信号ブロックを送信し得、同期信号ブロックは、同期信号ブロック送信属性に関連付けられる。１８０５の動作は、本明細書で説明された方法に従って実行され得る。いくつかの例では、１８０５の動作の態様は、図８〜図１１を参照して説明したようなＢＷＰマネージャによって実行され得る。
【０１８６】
[0195]１８１０で、基地局は、キャリアのＢＷＰ内の送信のための１つまたは複数のＢＷＰ送信属性を構成し得る。１８１０の動作は、本明細書で説明された方法に従って実行され得る。いくつかの例では、１８０５の動作の態様は、図８〜図１１を参照して説明したようなＢＷＰマネージャによって実行され得る。
【０１８７】
[0196]１８１５で、基地局は、同期信号ブロック送信属性および１つまたは複数のＢＷＰ送信属性に基づいて、キャリアのＢＷＰをにわたってダウンリンク送信をＵＥに送信し得、ダウンリンク送信は、時分割多重化スキームおよび周波数分割多重化スキームを含む複数のあらかじめ定義された多重化スキームから選択されたパターンに従って同期信号ブロックと多重化され、パターンは、ダウンリンク送信と同期信号ブロックとの間の周波数領域に挿入されたガードバンドを含む。１８１５の動作は、本明細書で説明された方法に従って実行され得る。ある特定の例では、１８１５の動作の態様は、図８〜図１１を参照して説明したようなダウンリンク送信マネージャによって実行され得る。
【０１８８】
[0197]上述された方法は、可能なインプリメンテーションを説明しており、動作およびステップは、再配列またはそうでない場合は修正され得、他のインプリメンテーションが可能であることに留意されたい。さらに、これら方法のうちの２つ以上からの態様が組み合わされ得る。
【０１８９】
[0198]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムといった、様々なワイヤレス通信システムのために使用され得る。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリースは一般に、ＣＤＭＡ２０００  １Ｘ、１Ｘ、等と呼ばれ得る。ＩＳ−８５６（ＴＩＡ−８５６）は一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術をインプリメントし得る。
【０１９０】
[0199]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭ、等のような無線技術をインプリメントし得る。ＵＴＲＡおよびＥ−ＵＴＲＡは、ユニバーサルモバイルテレコミュニケーションシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の団体による文書中で説明されている。ＣＤＭＡ２０００およびＵＭＢは、「第３世代パートナーシッププロジェクト２」（３ＧＰＰ２）名付けられた団体からの文書で説明されている。本明細書で説明されている技法は、上述されたシステムおよび無線技術と、ならびに他のシステムおよび無線技術にも使用され得る。ＬＴＥまたはＮＲシステムの態様が、例を目的として説明され得、ＬＴＥまたはＮＲ用語が、説明の大部分において使用され得る一方で、本明細書で説明される技法は、ＬＴＥまたはＮＲアプリケーションを超えて適用可能である。
【０１９１】
[0200]マクロセルは一般に、相対的に広い地理的エリア（例えば、半径数キロメートル）をカバーし、ネットワークプロバイダにサービス加入しているＵＥ１１５による無制限のアクセスを可能にし得る。スモールセルは、マクロセルと比較して、より低電力の基地局１０５に関連付けられ得、スモールセルは、マクロセルと同じまたは異なる（たとえば、認可、無認可、等の）周波数帯域において動作し得る。スモールセルは、様々な例にしたがって、ピコセル、フェムトセル、およびマイクロセルを含み得る。ピコセルは、例えば、小さな地理的エリアをカバーし、ネットワークプロバイダにサービス加入しているＵＥ１１５による無制限のアクセスを可能にし得る。フェムトセルもまた、小さな地理的エリア（例えば、家）をカバーし、フェムトセルとの関連付けを有するＵＥ１１５（例えば、クローズド加入者グループ（ＣＳＧ）中のＵＥ１１５、家の中にいるユーザのためのＵＥ１１５、等）による制限されたアクセスを提供し得る。マクロセルのためのｅＮＢは、マクロｅＮＢと称されうる。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセルをサポートし、また、１つまたは複数のコンポーネントキャリアを使用する通信をサポートし得る。
【０１９２】
[0201]本明細書に説明された１つまたは複数のワイヤレス通信システム１００は、同期または非同期動作をサポートし得る。同期動作の場合、複数の基地局１０５は、同様のフレームタイミングを有し得、異なる基地局１０５からの送信は、時間的にほぼアラインされ得る。非同期動作の場合、複数の基地局１０５は、異なるフレームタイミングを有し得、異なる基地局１０５からの送信は、時間的にアラインされない可能性がある。本明細書で説明する技法は、同期動作または非同期動作のいずれかのために使用され得る。
【０１９３】
[0202]本明細書に説明された情報および信号は、多様な異なる技術および技法のうちの任意のものを使用して表され得る。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１９４】
[0203]本明細書での開示に関連して説明された様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいはここに説明された機能を遂行するように設計されたそれらの任意の組み合わせを用いてインプリメントまたは遂行され得る。汎用プロセッサは、マイクロプロセッサであり得るが、代わりとして、該プロセッサは、いずれの従来のプロセッサ、コントローラ、マイクロコントローラ、またはステートマシンでもあり得る。プロセッサはまた、コンピューティングデバイスの組合せ（例えば、ＤＳＰとマイクロプロセッサとの組合せ、複数のマイクロプロセッサ、ＤＳＰコアと連携した１つまたは複数のマイクロプロセッサ、または任意の他のそのような構成）としてインプリメントされ得る。
【０１９５】
[0204]本明細書に説明された機能は、ハードウェア、プロセッサによって実行されるソフトウェア、ファームウェア、またはそれらの任意の組み合わせにおいてインプリメントされ得る。プロセッサによって実行されるソフトウェアで実装される場合、機能は、コンピュータ可読媒体上で１つまたは複数の命令またはコードとして記憶または送信され得る。他の例およびインプリメンテーションは、本開示および添付の請求項の範囲内にある。例えば、ソフトウェアの性質に起因して、上述された機能は、プロセッサによって実行されるソフトウェア、ハードウェア、ファームウェア、ハードワイヤリング、またはこれらのうちのいずれのものの組合せを使用してもインプリメントされ得る。機能を実装する特徴はまた、機能の部分が、異なる物理的ロケーションで実装されるように分散されることを含む、様々な場所に物理的に位置付けられ得る。
【０１９６】
[0205]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、フラッシュメモリ、コンパクトディスク（ＣＤ）ＲＯＭまたは他の光ディスク記憶装置、磁気ディスク記憶装置または他の磁気記憶デバイス、あるいはデータ構造または命令の形態で所望されたプログラムコード手段を記憶または搬送するために使用されることができ、汎用または特殊用途コンピュータ、もしくは汎用または特殊用途プロセッサによってアクセスされることができる任意の他の非一時的媒体を備えることができる。また、任意の接続手段は、コンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（ｄｉｓｃ）、光学ディスク（disc）、デジタル多目的ディスク（disc）（ＤＶＤ）、フロッピー（登録商標）ディスク（ｄｉｓｋ）、およびブルーレイディスク（disc）を含み、ここでディスク（disk）は通常磁気的にデータを再生する一方で、ディスク（disc）は、レーザーを用いて光学的にデータを再生する。上記の組合せもまた、コンピュータ可読媒体の範囲内に含まれる。
【０１９７】
[0206]請求項を含めて、本明細書で使用されるように、項目のリストにおいて使用される「または」（たとえば、「〜のうちの少なくとも１つ」あるいは「〜のうちの１つまたは複数」などのフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（たとえば、ＡおよびＢおよびＣ）を意味するように、選言的なリスト（disjunctive list）を示す。また、本明細書で使用される場合、「〜に基づいて」という表現は、条件の閉集合への参照として解釈されないものとする。例えば、「条件Ａに基づいて」と説明された例示的なステップは、本開示の範囲から逸脱することなく条件Ａと条件Ｂの両方に基づき得る。換言すれば、本明細書で使用される場合、「〜に基づいて」という表現は、「〜に少なくとも部分的に基づいて」という表現と同様に解釈されるものとする。
【０１９８】
[0207]添付された図面では、同様のコンポーネントまたは特徴は、同じ参照ラベルを有し得る。さらに、同じタイプの様々なコンポーネントは、参照ラベルに、ハイフンと、類似のコンポーネントを区別する第２のラベルとを後続させることによって区別され得る。第１の参照ラベルのみが本明細書中で使用される場合、その説明は、第２の参照ラベルまたは他の後続の参照ラベルに関係なく、同じ第１の参照ラベルを有する同様の構成要素のいずれにも適用可能である。
【０１９９】
[0208]添付された図面に関連して本明細書に記載された説明は、実例的な構成を説明しており、インプリメントされ得るまたは特許請求の範囲内にある全ての例を表してはいない。本明細書に使用される「例証的（exemplary）」という用語は、「好ましい」または「他の例より有利である」ということではなく、「例、事例、または例示としての役割を果たすこと」を意味する。詳細な説明は、説明された技法の理解を提供することを目的として特定の詳細を含む。しかしながら、これらの技法は、これらの具体的な詳細なしに実施され得る。いくつかの事例では、周知の構造およびデバイスは、説明されている例のコンセプトを暖味にすることを回避するためにブロック図の形態で図示されている。
【０２００】
[0209]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。したがって、本開示は、本明細書で説明された例および設計に限定されるべきではなく、本明細書で開示された原理および新規の特徴に合致する最も広い範囲を与えられることとなる。
【図１】
2021502752.tif 000003
【図２】
2021502752.tif 000004
【図３Ａ】
2021502752.tif 000005
【図３Ｂ】
2021502752.tif 000006
【図３Ｃ】
2021502752.tif 000007
【図４】
2021502752.tif 000008
【図５】
2021502752.tif 000009
【図６】
2021502752.tif 000010
【図７】
2021502752.tif 000011
【図８】
2021502752.tif 000012
【図９】
2021502752.tif 000013
【図１０】
2021502752.tif 000014
【図１１】
2021502752.tif 000015
【図１２】
2021502752.tif 000016
【図１３】
2021502752.tif 000017
【図１４】
2021502752.tif 000018
【図１５】
2021502752.tif 000019
【図１６】
2021502752.tif 000020
【図１７】
2021502752.tif 000021
【図１８】
2021502752.tif 000022
【国際調査報告】
2021502752.tif 000023
2021502752.tif 000024
2021502752.tif 000025